(57)【要約】      （修正有）【課題】コピー防止方法およびコピー防止アルゴリズムの品質を改善する。【解決手段】ファイルシステムを有する記録担体の複数のセクタに記憶されるオーディオビジュアルデータまたはオーディオデータと記録担体の複数のさらなるセクタに記憶される付加的なまたは改変されたオーディオビジュアルデータまたはオーディオデータとを用意し、複数のセクタの少なくとも一部を参照するがさらなるセクタを参照しないファイルシステムの第１のファイルが再生装置によってレンダリングされると、複数のセクタの少なくとも一部に含まれるオーディオビジュアルデータまたはオーディオデータが再生され、複数のセクタの少なくとも一部および複数のさらなるセクタの少なくとも一部を参照する第２のファイルが再生装置によって再生されると、複数のセクタの少なくとも一部および複数のさらなるセクタの少なくとも一部が再生されるように生成する、コピー防止方法。【選択図】図４
2012216272.tif 000002
【特許請求の範囲】
【請求項１】
ファイルシステムを有する記録担体の複数のセクタに記憶されるオーディオビジュアルデータまたはオーディオデータを用意し、
前記記録担体の複数のさらなるセクタに記憶される付加的なまたは改変されたオーディオビジュアルデータまたは付加的なまたは改変されたオーディオデータを用意し、
前記複数のセクタの少なくとも一部を参照するが前記さらなるセクタを参照しない、前記記録担体に記憶される前記ファイルシステムの第１のファイルを、当該第１のファイルが前記記録担体用の再生装置によってレンダリングされると、前記複数のセクタの前記少なくとも一部に含まれる前記オーディオビジュアルデータまたは前記オーディオデータが再生されるように生成し、
前記第１のファイルとは異なるファイルであり、前記複数のセクタの少なくとも一部および前記複数のさらなるセクタの少なくとも一部を参照する、前記記録担体に記憶される前記ファイルシステムの第２のファイルを、当該第２のファイルが前記再生装置によって再生されると、前記複数のセクタの前記少なくとも一部および前記複数のさらなるセクタの前記少なくとも一部が再生されるように生成する
コピー防止方法。
【請求項２】
請求項１に記載のコピー防止方法であって、
前記第１のファイルおよび前記第２のファイルとは異なるファイルであり、前記複数のセクタのそれぞれの少なくとも一部および前記複数のさらなるセクタのそれぞれの少なくとも一部をそれぞれ参照する、複数のさらなる第２のファイルを、当該複数のさらなる第２のファイルがそれぞれ前記再生装置によってレンダリングされると、前記複数のセクタのそれぞれの前記少なくとも一部および前記複数のさらなるセクタのそれぞれの前記少なくとも一部が再生されるように生成するステップをさらに含む
コピー防止方法。
【請求項３】
請求項２に記載のコピー防止方法であって、
前記第１のファイルを前記第２のファイルおよび前記複数のさらなる第２のファイルから区別するために、前記再生装置によって実行されると前記記録担体の特徴パラメータを抽出する、当該記録担体に記憶されるプログラム命令を判定するステップをさらに含み、
コピー防止方法。
【請求項４】
請求項１〜３のいずれか一項に記載のコピー防止方法であって、
前記付加的なまたは改変されたオーディオビジュアルデータまたは前記付加的なまたは改変されたオーディオデータは、広告、映像アーティファクト、音声アーティファクト、著作権情報、販売情報および代替音声ストリームのいずれか１つを含む
コピー防止方法。
【請求項５】
請求項１〜４のいずれか一項に記載のコピー防止方法であって、
前記第１のファイルは、第１のデータユニットを有し、
前記第２のファイルは、第２のデータユニットを有し、
前記第１のデータユニットおよび前記第２のデータユニットは、少なくとも部分的に同一のセクタを参照する
コピー防止方法。
【請求項６】
請求項１〜５のいずれか一項に記載のコピー防止方法であって、
前記第１のファイルは、前記複数のセクタの少なくとも一部を参照するデータユニットの第１のセットを有し、
前記第２のファイルは、前記複数のさらなるセクタの一部を参照するデータユニットの第２のセットを有し、
前記第２のセットの少なくとも１つのデータユニットは、前記第１のセットの１つのデータユニットの改変されたコピーであり、
前記改変されたコピーは、前記１つのデータユニットの改変されたオーディオビジュアルデータまたは改変されたオーディオデータを有し、
前記改変されたオーディオビジュアルデータまたは改変されたオーディオデータのフォーマットは、前記１つのデータユニットの前記オーディオビジュアルデータまたは前記オーディオデータのフォーマットの仕様に準拠する
コピー防止方法。
【請求項７】
請求項６に記載のコピー防止方法であって、
前記記録担体は、Ｂｌｕ−ｒａｙ  Ｄｉｓｃ（登録商標）であり、
前記ファイルシステムは、ＵＤＦ（Universal Disk Format）ファイルシステムであり、
前記第１のファイルおよび前記第２のファイルはＵＤＦファイルであり、
前記データユニットはエクステントである
コピー防止方法。
【請求項８】
請求項１〜７のいずれか一項に記載のコピー防止方法であって、
前記複数のセクタの一部を参照するが前記さらなるセクタを参照しない、前記ファイルシステムの複数のさらなる第１のファイルを生成するステップと、
前記第１のファイルおよび前記さらなる第１のファイルを有するプレイリストを、当該プレイリストが前記再生装置によって再生に供されるときに、前記オーディオビジュアルデータまたは前記オーディオデータが本来の品質で再生されるように生成するステップと、
前記第２のファイルまたは前記複数のさらなる第２のファイルの少なくとも１つを有する少なくとも１つのさらなるプレイリストを、前記再生装置が当該少なくとも１つのさらなるプレイリストを用いて再生を行うときに、前記付加的なまたは改変されたオーディオビジュアルデータまたは前記付加的なまたは改変されたオーディオデータの少なくとも１つが再生されるように生成するステップと
をさらに含むコピー防止方法。
【請求項９】
請求項８に記載のコピー防止方法であって、
前記プレイリストを前記少なくとも１つのさらなるプレイリストから区別するために、前記再生装置によって実行されると前記記録担体の特徴パラメータを抽出する、当該記録担体に記憶されるプログラム命令を判定するステップ
をさらに含むコピー防止方法。
【請求項１０】
請求項１に記載のコピー防止方法であって、
前記記録担体は、３Ｄコンテンツを記憶するＢｌｕ−ｒａｙ  Ｄｉｓｃ（登録商標）であり、
前記第２のファイルは、左眼および右眼用のさらなるセクタを参照する
コピー防止方法。
【請求項１１】
コピーが防止された記録担体に記憶されたコンテンツを再生する、コンテンツ再生方法であって、
前記記録担体は、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの複数の第２のファイルであって、前記再生装置によって再生されると、前記複数のセクタの前記少なくとも一部および前記複数のさらなるセクタの前記少なくとも一部が再生される、複数の第２のファイルと、
前記第１のファイルを前記複数の第２のファイルから区別するために、前記再生装置によって実行されると当該記録担体の特徴パラメータを抽出するプログラム命令と
を有し、当該コンテンツ再生方法は、
前記プログラム命令を実行し、前記記録担体がオリジナルであるかまたはコピーであるかに応じて、前記オーディオビジュアルデータまたは前記オーディオデータおよび／または前記付加的なまたは改変されたオーディオビジュアルデータまたは前記付加的なまたは改変されたオーディオデータをレンダリングする
コンテンツ再生方法。
【請求項１２】
コピーが防止された記録担体に記憶されたコンテンツを再生する、コンテンツ再生装置であって、
前記記録担体は、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの複数の第２のファイルであって、前記再生装置によって再生されると、前記複数のセクタの前記少なくとも一部および前記複数のさらなるセクタの前記少なくとも一部が再生される、複数の第２のファイルと、
前記第１のファイルを前記複数の第２のファイルから区別するために、前記再生装置によって実行されると当該記録担体の特徴パラメータを抽出するプログラム命令と
を有し、当該コンテンツ再生装置は、
前記プログラム命令を実行し、前記記録担体がオリジナルであるかまたはコピーであるかに応じて、前記オーディオビジュアルデータまたは前記オーディオデータおよび／または前記付加的なまたは改変されたオーディオビジュアルデータまたは前記付加的なまたは改変されたオーディオデータをレンダリングするレンダリング部
を具備するコンテンツ再生装置。
【請求項１３】
コピーが防止された記録担体を製造するために画像を生成する、画像生成装置であって、
ファイルシステムを有する前記記録担体の複数のセクタに記憶されるオーディオビジュアルデータまたはオーディオデータと、前記記録担体の複数のさらなるセクタに記憶される付加的なまたは改変されたオーディオビジュアルデータまたは付加的なまたは改変されたオーディオデータとを受信する受信部と、
前記複数のセクタの少なくとも一部を参照するが前記さらなるセクタを参照しない、前記記録担体に記憶される前記ファイルシステムの第１のファイルを、当該第１のファイルが前記記録担体用の再生装置によってレンダリングされると、前記複数のセクタの前記少なくとも一部に含まれる前記オーディオビジュアルデータまたは前記オーディオデータが再生されるように生成し、前記第１のファイルとは異なるファイルであり、前記複数のセクタの少なくとも一部および前記複数のさらなるセクタの少なくとも一部を参照する、前記記録担体に記憶される前記ファイルシステムの複数の第２のファイルを、当該複数の第２のファイルが前記再生装置によって再生されると、前記複数のセクタの前記少なくとも一部および前記複数のさらなるセクタの前記少なくとも一部が再生されるように生成し、前記第１のファイルを前記複数の第２のファイルから区別するために、前記再生装置によって実行されると前記記録担体の特徴パラメータを抽出する、当該記録担体に記憶されるプログラム命令を受信または生成するデータ処理部と
を具備する画像生成装置。
【請求項１４】
記録担体であって、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの第２のファイルであって、前記再生装置によって再生されると、前記複数のセクタの前記少なくとも一部および前記複数のさらなるセクタの前記少なくとも一部が再生される、第２のファイルと
を具備する記録担体。
【請求項１５】
請求項１４に記載の記録担体であって、
前記第１のファイルおよび前記第２のファイルとは異なるファイルであり、前記複数のセクタのそれぞれの少なくとも一部および前記複数のさらなるセクタのそれぞれの少なくとも一部を参照する、複数のさらなる第２のファイルであって、それぞれが前記再生装置によってレンダリングされると、前記複数のセクタのそれぞれの前記少なくとも一部および前記複数のさらなるセクタのそれぞれの前記少なくとも一部が再生される、複数のさらなる第２のファイル
をさらに具備する記録担体。
【請求項１６】
請求項１５に記載の記録担体であって、
前記第１のファイルを前記第２のファイルおよび前記複数のさらなる第２のファイルから区別するために、前記再生装置によって実行されると当該記録担体の特徴パラメータを抽出する、当該記録担体に記憶されるプログラム命令
をさらに具備する記録担体。
【請求項１７】
元のバイト順序を有する、ファイルシステムの記録担体の複数のセクタに記憶されるデータを用意し、
前記複数のセクタを第１の順序で参照する、前記記録担体に記憶される、前記ファイルシステムの第１のファイルを生成し、
前記記録担体に記憶される、前記第１のファイルとは異なるファイルであり、前記複数のセクタの少なくとも一部を第２の順序で参照する、前記ファイルシステムの第２のファイルを生成し、
前記データは、前記第１のファイルが前記記録担体用の読み出し装置によって読み出される場合、前記元のバイト順序で読み出されるが、前記第２のファイルが前記記録担体用の前記読み出し装置によって読み出される場合、前記元のバイト順序では読み出されない
コピー防止方法。
【請求項１８】
請求項１７に記載のコピー防止方法であって、
前記記録担体のさらなるセクタに記憶される付加的なデータを用意するステップ
をさらに含み、
前記第２のファイルは、前記読み出し装置が当該第２のファイルを読み出すときに当該読み出し装置によって前記さらなるセクタが読み出されるように、当該さらなるセクタを参照する
コピー防止方法。
【請求項１９】
記録担体であって、
元のバイト順序を有する、ファイルシステムを有する当該記録担体の複数のセクタに記憶されたデータと、
前記複数のセクタを第１の順序で参照する、前記ファイルシステムの第１のファイルと、
前記第１のファイルとは異なるファイルであり、前記複数のセクタの少なくとも一部を第２の順序で参照する、前記ファイルシステムの第２のファイルと
を有し、
前記データは、前記第１のファイルが当該記録担体用の読み出し装置によって読み出される場合、前記元のバイト順序で読み出されるが、前記第２のファイルが当該記録担体用の前記読み出し装置によって読み出される場合、前記元のバイト順序では読み出されない
記録担体。
【請求項２０】
コピーが防止された記録担体を製造する、記録担体製造装置であって、
元のバイト順序を有する、ファイルシステムを有する前記記録担体の複数のセクタに記憶されるデータを受信する受信部と、
前記複数のセクタを第１の順序で参照する、前記記録担体に記憶される、前記ファイルシステムの第１のファイルと、当該第１のファイルとは異なるファイルであり、前記複数のセクタの少なくとも一部を第２の順序で参照する、前記記録担体に記憶される、前記ファイルシステムの第２のファイルとを生成するデータ処理部と
を具備し、
前記データは、前記第１のファイルが前記記録担体用の読み出し装置によって読み出される場合、前記元のバイト順序で読み出されるが、前記第２のファイルが前記記録担体用の前記読み出し装置によって読み出される場合、前記元のバイト順序では読み出されない
記録担体製造装置。
【発明の詳細な説明】
【技術分野】
【０００１】
本発明は、コピー防止方法、コピー防止装置、コピー防止システム、およびコピー防止付き記録担体に関する。
【背景技術】
【０００２】
記録担体に記憶されたコンテンツのコピーを防止する様々な方法およびアルゴリズムが存在する。係るコピー防止方法によって保護され得るコンテンツは例えば、コンピュータプログラム、映画等のオーディオビジュアルコンテンツおよび／または音声ファイルの音声コンテンツ等のデータである。
【０００３】
しかし、現在利用可能なコピー防止方法およびコピー防止アルゴリムの大半は「ハッキング」を受ける。つまり、記録担体からコピーガードが外され、そのコンテンツが、記録可能な光データ担体によって、または、ハードディスクもしくは他の記憶装置に記憶されて「海賊（ripped）」版として流通するおそれがある。
【０００４】
したがって、コピー防止方法およびコピー防止アルゴリムの質を改善することが常に求められている。
【先行技術文献】
【特許文献】
【０００５】
【特許文献１】国際公開第２００８／１０９０９２号
【特許文献２】国際公開第２０１０／１３３３５３号
【特許文献３】米国特許出願公開第２００５／０７６０６１号明細書
【特許文献４】米国特許出願公開第２００５／０２２２３２号明細書
【発明の概要】
【発明が解決しようとする課題】
【０００６】
本発明は、コピー防止方法と、コピー防止装置と、コピー防止システムとを提供することを目的とする。また、本発明は、コピー防止付き記録担体を提供することも目的とする。
【課題を解決するための手段】
【０００７】
これらの課題は、独立請求項によって解決される。
【０００８】
本発明のさらなる詳細は、図面および以下の説明を検討することによって明らかになるであろう。
【０００９】
添付の図面は、本発明の実施形態の理解を助けるためのものであり、本明細書に援用され、その一部を成す。当該図面は、本発明の実施形態を例示しており、明細書の記載と合わせて本発明の実施形態の原理を説明する。他の実施形態および実施形態に意図された利点の多くが、以下の詳細な説明を参照することで、容易に深く理解されるであろう。なお、当該図面の各要素は一定の縮尺であるとは限らず、同様の参照符号は対応の同様の部分を指す。
【図面の簡単な説明】
【００１０】
【図１】２つの異なるファイルＸおよびＹが少なくとも部分的に、記録担体内の同一のセクタを参照する、複数のインターリーブファイルを有する実施形態を示す図である。
【図２Ａ】Ｂｌｕ−ｒａｙ  Ｄｉｓｃ（登録商標）のファイルＡを示す図である。
【図２Ｂ】Ｂｌｕ−ｒａｙ  Ｄｉｓｃ（登録商標）の複数のエクステントを有するファイルＢを示す図である。
【図２Ｃ】Ｂｌｕ−ｒａｙ  Ｄｉｓｃ（登録商標）の、少なくとも部分的に同一のセクタをそれぞれ参照する２つのファイルＣおよびＤを示す図である。
【図２Ｄ】２つのファイルのうちの１つが付加的な映像コンテンツ（偽のコンテンツ）を有するセクタを参照する場合のＢｌｕ−ｒａｙ  Ｄｉｓｃ（登録商標）の実施形態を示す図である。
【図３】コピー防止方法のフローチャートである。
【図４】複数のプレイリストを用いる実施形態を示す図である。
【図５】偽のコンテンツを参照するエクステントが複数存在する場合の実施形態を示す図である。
【図６】図５の実施形態に関してエクステントの順序が異なる、偽のコンテンツを参照するエクステントが複数存在するさらなる実施形態を示す図である。
【図７】多数のファイルを用いる実施形態を示す図である。
【図８】バイナリデータのコピーを防止するための実施形態を示す図である。
【図９】バイナリデータのコピー防止方法のフローチャートである。
【図１０】いくつかのファイルが真のコンテンツのみを有し、他のファイルが真のコンテンツおよび偽のコンテンツを有する場合の実施形態を示す図である。
【図１１Ａ】コピーが防止されたＢｌｕ−ｒａｙ  Ｄｉｓｃ（登録商標）の製造用に画像を生成するための装置を示す図である。
【図１１Ｂ】コピーが防止されたＢｌｕ−ｒａｙ  Ｄｉｓｃ（登録商標）の製造用に画像を生成するための方法を示す図である。
【図１１Ｃ】コピーが防止されたＢｌｕ−ｒａｙ  Ｄｉｓｃ（登録商標）を製造するための装置を示す図である。
【図１２】マルチアングルプレイアイテムに基づきコピー防止を達成する場合の実施形態を示す図である。
【図１３】ハッカーがＢＤ−Ｊランタイムスレッドを除去した場合に図１２のコピー防止がどのように作用するかを説明する一例を示す図である。
【図１４】ＢＤ−Ｊ（Ｂｌｕ−ｒａｙ  Ｄｉｓｃ（登録商標）  Ｊａｖａ（登録商標））ランタイムスレッドを用いてコピーを再生する場合、図１２のコピー防止がどのように作用するかを説明する一例を示す図である。
【図１５】図１２を参照して説明した概念を図１〜図１１の実施形態と組み合わせる方法を示す図である。
【図１６】図１５のさらなる実施形態を示す図である。
【図１７Ａ】３Ｄ  Ｂｌｕ−ｒａｙ  Ｄｉｓｃ（登録商標）のファイル構造を示す図である。
【図１７Ｂ】３Ｄ  Ｂｌｕ−ｒａｙ  Ｄｉｓｃ（登録商標）において、図１を参照して説明した概念を詳述する図である。
【発明を実施するための形態】
【００１１】
以下、本発明の実施形態を説明する。なお、以下の実施形態は全て、任意に組み合わせることができる。すなわち、以下の実施形態において、特定の実施形態の組合せが不可能であるという限定はない。また、図面全体を通して同様の参照符号は同一または同様の要素を示す。
【００１２】
また、本明細書に記載する実施形態以外の実施形態を採用してもよく、本発明の範囲を逸脱しない限り、構造上または論理上の変更が可能である。したがって、以下の詳細な説明は限定的な意味に解釈されるべきではなく、本発明の範囲は添付の特許請求の範囲によって規定される。
【００１３】
本明細書において説明する種々の実施形態の特徴は、別途記載がない限り、互いに組み合わせることが可能であることを理解されたい。
【００１４】
図１は、記録担体１の一部を示す。当該部分は、複数のセクタ３−１、３−２、３−３、３−４、３−５、３−６、３−７、３−８、３−９、３−１０、３−１１、３−１２、および３−１３（以下、セクタ３−１、……、３−１３と称する）と、さらなるセクタ４−１、４−２、４−３とを有する。セクタは、論理ブロックとも称し、記録担体１の規格に応じて所定の数のビットを有する。
【００１５】
セクタ３−１、……、３−１３は、後述から明らかになるように、コピーが防止されたバイナリデータ、オーディオビジュアルデータおよび／または音声データを記憶する。さらなるセクタ４−１、４−２、４−３は、付加的なまたは改変されたのバイナリデータ、オーディオビジュアルデータおよび／または音声データを記憶する。
【００１６】
セクタ３−１、……、３−１３に記憶されたバイナリデータ、オーディオビジュアルデータおよび／または音声データは、元の（真の）データ／コンテンツを記憶する。換言すると、セクタ３−１、……、３−１３に記憶されたデータ／コンテンツのみが記録担体１用の読み出し装置によって読み出される／再生される（以下、単に「読み出される」と記載する）場合、元のデータ／コンテンツが読み出される。
【００１７】
コピー防止の設計態様に応じて、付加的なバイナリデータ、オーディオビジュアルデータおよび／または音声データは、偽のデータ／コンテンツを記憶することができる。つまり、さらなるセクタ４−１、４−２、４−３に記憶されたデータ／コンテンツのうち、任意のデータ／コンテンツが記録担体１用の読み出し装置によって読み出される場合、偽のデータ／コンテンツが読み出される。
【００１８】
セクタ３−１、……、３−１３およびさらなるセクタ４−１、４−２、４−３のそれぞれは、各セクタのアドレスに基づいてアクセスされる。このアドレスは、「論理ブロックアドレス」とも称する。図１および以下の各図において、アドレスは、矢印によって示す（図１の矢印２参照）。
【００１９】
図１の左側部分に示すように、記録担体１は、第１のファイルＸと、第２のファイルＹとを有する。第１のファイルＸは、セクタ３−１、……、３−１３を参照し、第２のファイルＹは、さらなるセクタ４−１、４−２、４−３を参照する。この参照は、直接セクタに対して行ってもよく、または複数のデータユニットを介して行ってもよい。なお、この複数のデータユニットによる参照は、任意選択に過ぎず、他の参照方法が可能である。これら複数のデータユニットは、記録担体１のファイルシステムに応じて異なる。例えば、ＵＤＦ（Universal Disk Format）ファイルシステムの場合、上記複数のデータユニットは「エクステント」と称される。
【００２０】
図１の実施形態は、複数のデータユニットによる参照を示す。
【００２１】
図１において、第１のファイルＸは、複数のデータユニットＤＵ０−Ｘ、ＤＵ１−ＸおよびＤＵ２−Ｘを有し、第２のファイルＹは、複数のデータユニットＤＵ０−ＹおよびＤＵ１−Ｙを有する。
【００２２】
第１のファイルＸが読み出される場合、第１のファイルＸが参照するデータ／コンテンツのみが読み出される。図１の例では、これは、セクタ３−１、……、３−１３に記憶されたデータ／コンテンツに当たる。
【００２３】
また、第２のファイルＹが読み出される場合、第２のファイルＹが参照するデータ／コンテンツのみが読み出される。図１の例では、これは、（データＤＵ０−Ｙの）セクタ３−１、……、３−４および（データＤＵ１−Ｙの）さらなるセクタ４−１、４−２、４−３に記憶されたデータ／コンテンツに当たる。
【００２４】
つまり、第２のファイルＹが読み出される場合、付加的なバイナリデータ、オーディオビジュアルデータおよび／または音声データも読み出される。
【００２５】
図１の実施形態では、第２のファイルＹが読み出される場合、偽のデータ／コンテンツが読み出されることでコピー防止が達成される。どのファイルを読み出すべきか分からないコピー者（ハッカー）は、コピーして再生する際に、偽のコンテンツをコピーし、かつ／または偽のコンテンツが再生される。
【００２６】
さらなる実施形態では、記録担体１に第２のファイルＹのようなさらなる第２のファイルを記憶することによって、コピー防止を強化してもよい。さらなる第２のファイルは、第１のファイルおよび第２のファイル以外のファイルである。さらなる第２のファイルは、当該複数のセクタのそれぞれの少なくとも一部と、当該複数のさらなるセクタのそれぞれの少なくとも一部とを参照し、当該複数のさらなる第２のファイルが再生装置によってレンダリングされると、上記複数のセクタの各部分および複数のさらなるセクタの各部分が再生される。
【００２７】
第２のファイル（例えば、図１の第２のファイルＹ）が多数存在する場合、コピー者には、どのファイルが、バイナリデータ、オーディオビジュアルデータおよび／またはオーディオデータを有するセクタ、すなわち、正しい読み出し順で真のデータ／コンテンツしか有しないセクタのみを参照するファイルであるかを容易に識別することができない。
【００２８】
なお、図１の記録担体１は、データを記憶するための特定の規格に準拠してもよい。記録担体１は、例えば、ＣＤ−ＲＯＭ、ＤＶＤ、Ｂｌｕ−ｒａｙ  Ｄｉｓｃ（登録商標）であってもよく、または将来の規格に対応するものであってもよい。
【００２９】
なお、図１には、例示のために、セクタ、さらなるセクタ、ファイル、およびデータユニット（ＵＤＦファイルシステムの場合はエクステント）のみを示している。データユニット毎に含まれるセクタ／さらなるセクタの数や、ファイル毎に含まれるデータユニットの数は、実際の用途に応じて適宜設定可能である。例えば、セクタ／さらなるセクタの数や、ファイル毎のデータユニットの数は、図１に示したものより多くてもよい。
【００３０】
例示のために、図２Ａ〜図２Ｄは、データ担体がＢｌｕ−ｒａｙ  Ｄｉｓｃ（登録商標）である場合の実施形態を示す。
【００３１】
図２Ａは、エクステントＥｘｔ０Ａに含まれるセクタ５−１、……、５−ｎを参照するファイルＡの一例を示す。セクタ（論理ブロックとも称する）は、一定数のバイトを有する。例えば、Ｂｌｕ−ｒａｙ（登録商標）またはＤＶＤの場合は２０４８バイトである。（データユニットの一例としての）エクステントは、連続セクタシーケンスである。ファイルと対照的に、Ｂｌｕ−ｒａｙ  Ｄｉｓｃ（登録商標）のＵＤＦファイルシステムによれば、エクステントは名前を有しないが、種々の実施形態の説明のために本明細書全体にわたってエクステントに符号を付す（例えば、図２ＡのＥｘｔ０Ａ）。
【００３２】
図２Ｂは、複数のエクステントＥｘｔ０Ｂ、Ｅｘｔ１Ｂ、およびＥｘｔ２Ｂを有するファイルＢの一例を示す。エクステントＥｘｔ０Ｂ、Ｅｘｔ１Ｂ、およびＥｘｔ２Ｂはそれぞれ、８−１、……、８−ｎとして示すそれぞれのセクタまたはさらなるセクタを参照する。
【００３３】
図２Ｃに示すように、バイナリデータ、オーディオビジュアルデータおよび／またはオーディオデータおよび付加的なバイナリデータ、付加的なオーディオビジュアルデータおよび／または付加的なオーディオデータをそれぞれ記憶するセクタおよびさらなるセクタは、複数のエクステント、すなわち、複数のファイルによって参照される。例えば、セクタ９−１、……、９−ｍは、ファイルＣおよびファイルＤによって（それぞれ、エクステントＥｘｔ０ＣおよびＥｘｔ０Ｄを介して）参照される。
【００３４】
また、エクステントは、他のエクステントといくつかの論理ブロックを共有することができる。例えば、Ｅｘｔ２Ｃは、Ｅｘｔ１ＤおよびＥｘｔ２Ｄと論理ブロックを共有している。他方、Ｅｘｔ１Ｃは、ファイルＤと論理ブロックを共有していない。
【００３５】
図２Ｄは、第１のファイル０００００．ｍ２ｔｓおよび第２のファイル００００１．ｍ２ｔｓを有する一例を示す。図２Ｄにおいて、第１のファイル０００００．ｍ２ｔｓは、エクステントＥｘｔ００、Ｅｘｔ１０およびＥｘｔ２０を有し、第２のファイル００００１．ｍ２ｔｓは、エクステントＥｘｔ０１、Ｅｘｔ１１、およびＥｘｔ２１を有する。
【００３６】
エクステントＥｘｔ００およびＥｘｔ０１は、当該ディスクにおいて同一の論理ブロック（セクタ）１６−００−１、……、１６−００−ｎを参照する。また、これは、同一の論理ブロック（セクタ）１６−２０−１、……、１６−２０−ｎをそれぞれ参照するエクステントＥｘｔ２０およびＥｘｔ２１にも当てはまる。他方、エクステントＥｘｔ１０およびＥｘｔ１１は、当該ディスクにおいて異なる論理ブロックを参照する。エクステントＥｘｔ１０は、論理ブロック（セクタ）１６−１０−１、……、１６−１０−ｎを参照し、エクステントＥｘｔ１１は、論理ブロック（さらなるセクタ）１６−１１−１、……、１６−１１−ｎを参照する。
【００３７】
図２Ｄの例では、論理ブロック（さらなるセクタ）１６−１１−１、……、１６−１１−ｎは、付加的なまたは改変されたオーディオビジュアルデータまたは付加的なまたは改変されたオーディオデータ、すなわち、参照符号１８によって示すような「不良」コンテンツ（例えば、「偽の」コンテンツとも称する）を含む。したがって、再生装置が第２のファイル００００１．ｍ２ｔｓを再生すると、偽のコンテンツがそれぞれ再生される。他方、図２Ｄの例では、第１のファイル０００００．ｍ２ｔｓがエクステントＥｘｔ００、Ｅｘｔ１０およびＥｘｔ２０を介して参照する論理ブロック（セクタ）１６−００−１、……、１６−００−ｎ、１６−１０−１、……、１６−１０−ｎ、および１６−２０−１、……、１６−２０−ｎは、元の（真の）コンテンツを含むことが想定されている。したがって、第１のファイル０００００．ｍ２ｔｓを再生すると、真のコンテンツのみが再生されるが、さらなるセクタ１６−１１−１、……、１６−１１−ｎの偽のコンテンツは再生されない。
【００３８】
さらなるセクタ１６−１１−１、……、１６−１１−ｎは、例えば、広告（音声、映像、またはその両方）、映像アーティファクト、音声アーティファクト、著作権侵害に対する警告、正規コピーの購入方法に関する情報、代替音声ストリーム等を含み得る。
【００３９】
さらなるセクタ１６−１１−１、……、１６−１１−ｎは、セクタ１６−１０−１、……、１６−１０−ｎの改変されたコピーとしてもよい。換言すると、（データユニットの一例としての）エクステントＥｘｔ１１は、Ｅｘｔ１０の改変されたコピーとしてもよい。係る改変は、改変されたコピー、すなわち、エクステントＥｘｔ１１に含まれるコンテンツが、広告（音声、映像、またはその両方）、映像アーティファクト、音声アーティファクト、著作権侵害に対する警告、正規コピーの購入方法に関する情報、代替音声ストリーム等を含めるように行ってもよい。但し、改変されたオーディオビジュアルデータまたは改変されたオーディオデータのフォーマットは、それぞれの単一のデータユニットのオーディオビジュアルデータまたはオーディオデータのフォーマットの仕様に準拠するものとしてもよい。
【００４０】
例えば、エクステントＥｘｔ１０のコンテンツをＭＰＥＧ−２規格に準拠して記憶する場合、エクステントＥｘｔ１１のコンテンツ（エクステントＥｘｔ１０の改変されたコピー）もＭＰＥＧ−２規格に準拠して記憶することができる。換言すると、コンテンツの改変されたコピーも、対応の仕様、すなわち、ＭＰＥＧ−２規格に準拠する。これによって、コピー者（コピープログラム、ハッカー等）がフォーマット認証によって（例えば、コンピュータプログラムによって）エクステントＥｘｔ１１に記憶されたコンテンツが偽のコンテンツであることを容易に検出することを回避することができる。
【００４１】
図２Ｄの下側部分に、第１のファイル０００００．ｍ２ｔｓおよび第２のファイル００００１．ｍ２ｔｓの読み出しを示している。参照符号１０で示すように、第１のファイル０００００．ｍ２ｔｓの再生経路は、エクステントＥｘｔ００、Ｅｘｔ１０およびＥｘｔ２０が連続して読み出されるものである。エクステントＥｘｔ００およびＥｘｔ１０は、隣接し合う各論理ブロックを参照するため（矢印１１−１、……、１１−４で示す読み出し方向においてＥｘｔ１０の第１のセクタ１６−１０−１に隣接するＥｘｔ００の最後のセクタ１６−００−ｎを参照）、再生装置の読み出しヘッドが、Ｂｌｕ−ｒａｙ  Ｄｉｓｃ（登録商標）の径方向に連続的に移動することができる。しかし、再生装置の読み出しヘッドは、エクステントＥｘｔ１０の最後のセクタ１６−１０−ｎを読み出した後、矢印１１−３で示すようにＥｘｔ２０の第１の論理ブロック１６−２０−１にジャンプする必要がある。このようにジャンプするのは、エクステントＥｘｔ１０の最後の論理ブロック１６−１０−ｎが、エクステントＥｘｔ２０の第１の論理ブロック１６−２０−１に隣接していないためである。
【００４２】
同様に、第２のファイル００００１．ｍ２ｔｓを読み出す場合、読み出しヘッドは、エクステントＥｘｔ０１、Ｅｘｔ１１およびＥｘｔ２１のデータを連続して読み出し、矢印１３−１、……、１３−４に示すように移動する。したがって、Ｅｘｔ０１を読み出した後、矢印１３−２に示すようにジャンプする必要がある。
【００４３】
なお、実用的な実施態様に応じて、エクステントは、データ担体上に自由にまたは任意に分配されるのではなく、関連のフォーマット仕様に従ってサイズの制約を受ける場合がある。エクステントを任意に分配することによって、連続して読み出される２つのエクステント間の距離が長過ぎる場合に、再生装置がバッファアンダーフローに陥ることがある（長距離ジャンプを行う必要があり、これには時間がかかるため）。結果的に、単一ファイル内において連続して読み出される２つのエクステント間の許容最大距離に従うことが有利であり得る。また、好適には、関連のフォーマット仕様に規定されたサイズの制約に従う。
【００４４】
図３にコピー防止方法を示す。ステップ２０において、オーディオビジュアルデータまたはオーディオデータを用意する。これは、コピー防止される元のコンテンツを表すデータである。オーディオビジュアルデータまたはオーディオデータを、記録担体の複数のセクタ、例えば、セクタ１６−００−１、……、１６−００−ｎ、１６−１０−１、……、１６−１０−ｎおよび１６−２０−１、……、１６−２０−ｎに記憶する。
【００４５】
ステップ２２において、付加的なまたは改変されたオーディオビジュアルデータまたは付加的なまたは改変されたオーディオデータを用意する。この付加的なまたは改変されたオーディオビジュアルデータまたは付加的なまたは改変されたオーディオデータは、例えば、図２Ｄに示すセクタ１６−１１−１、……、１６−１１−ｎのような、記録担体の複数のさらなるセクタに記憶されるものである。
【００４６】
ステップ２４において、第１のファイル（例えば、図２Ｄに示す第１のファイル０００００．ｍ２ｔｓである）を生成する。
【００４７】
ステップ２６において、第２のファイル（例えば、図２Ｄに示す第２のファイル００００１．ｍ２ｔｓである）を生成する。
【００４８】
図３のステップ２８に、任意選択的なステップ／工程を示す。つまり、コピー防止される記録担体上に記憶されるプログラム命令を生成することができる。プログラム命令は、再生装置によって実行されると、記録担体の特徴パラメータを抽出する。この特徴パラメータに基づき、第１のファイルを、第２のファイルと区別することができる。特徴パラメータの抽出は、参照によって本明細書全体に援用される特許文献１にも記載されている。
【００４９】
一例として、図２Ｄの例では、セクタ１６−１１−１、……、１６−１１−ｎに記憶された付加的なまたは改変されたオーディオビジュアルデータまたは付加的なまたは改変されたオーディオデータが再生されないように、第１のファイル０００００．ｍ２ｔｓを選択して再生させるプログラム命令を生成して記録担体に記憶する。
【００５０】
既に図１に関連して示したように、コピー防止のために、偽のコンテンツを含む「さらなるセクタ」をそれぞれ参照する、記録担体上の図２Ｄの第２のファイル００００１．ｍ２ｔｓ等の複数のファイルと、例えば、真のコンテンツを記憶するセクタのみを参照する単一のファイルとを有することが有利であり得る。Ｂｌｕ−ｒａｙ  Ｄｉｓｃ（登録商標）の実施形態の文脈では、これは、Ｂｌｕ−ｒａｙ  Ｄｉｓｃ（登録商標）のＵＤＦファイルシステムにおいて図２Ｄの第２のファイル００００１．ｍ２ｔｓ等の複数のファイルを有することを意味する。係る複数の第２のファイルは、偽のコンテンツを有しており、コピー防止の目的でディスクの制作者によって生成されるため、「フェイクファイル」とも称する。
【００５１】
図４に示すさらなる実施形態において、複数の係る「フェイクファイル」を有する概念について詳述する。つまり、Ｂｌｕ−ｒａｙ  Ｄｉｓｃ（登録商標）３０が、参照符号３４で示すようなデータを有する。すなわち、Ｂｌｕ−ｒａｙ  Ｄｉｓｃ（登録商標）３０は、フェイクファイル１、……、ｉ、ｉ＋２、……、ｎを参照するフェイククリップ情報ファイル１、……、ｉ、ｉ＋２、……、ｎをそれぞれ参照する複数のフェイクムービープレイリスト１、……、ｉ、ｉ＋２、……、ｎを有する。フェイクファイルは、少なくとも１つの「さらなるセクタ」（すなわち、偽のコンテンツを記憶するセクタ）を参照する少なくとも１つのエクステントを参照する。これにより、フェイクムービープレイリスト１、……、ｉ、ｉ＋２、……、ｎのいずれかが再生に供される場合、エンターテインメント性を低下させたコンテンツ（偽のコンテンツ）が再生される。
【００５２】
真のコンテンツの再生用に、Ｂｌｕ−ｒａｙ  Ｄｉｓｃ（登録商標）は、正しいファイル４０を参照する正しいクリップ情報ファイル３８を参照する正しいムービープレイリスト３６を有する。正しいファイル４０は、（全てが）真のコンテンツを含むセクタを参照するエクステントのみを有する（すなわち、正しいファイル４０は、例えば、図２Ｄの第１のファイル０００００．ｍ２ｔｓである）。換言すると、正しいムービープレイリスト３６が再生装置によって再生に供されると、真のコンテンツが再生される。
【００５３】
符号３２に、すなわち、図４の左側部分に、Ｂｌｕ−ｒａｙ  Ｄｉｓｃ（登録商標）３０の再生工程を示す。図４の例では、Ｂｌｕ−ｒａｙ  Ｄｉｓｃ（登録商標）３０がオリジナルであり、したがって、正しいムービープレイリスト３６を見つけ出すことを想定しているため、Ｂｌｕ−ｒａｙ  Ｄｉｓｃ（登録商標）３０に記憶された真のコンテンツが本来の品質で再生される。
【００５４】
Ｂｌｕ−ｒａｙ  Ｄｉｓｃ（登録商標）３０を読み出す場合、まず、参照符号３２−１に示すように、各再生装置がムービー／ＢＤ−Ｊオブジェクトを実行する。ムービー／ＢＤ−Ｊオブジェクト内において、プレイリストが選択・作成され、そして再生に供される。したがって、まず、参照符号３２−２に示すようにディスクチェックが実行される。これは、ディスクからキー情報を抽出することによって行われ、このキー情報を用いてプレイリストを選択して再生する。
【００５５】
「ディスクからキー情報を抽出する」という意味をさらに深く理解するために、参照によって本明細書全体に援用される特許文献１を参照されたい。
【００５６】
各記録担体は、特定の物理的構造体と、当該物理的構造体に記憶される特定のデータとを有する。これによって、記録済み（元の）記録担体の物理的構造体は一般的に、例えば、記録可能な光記録担体またはハードディスク等の記録可能な記録担体等、記録済み記録担体のコピーとは異なる。例えば、記録済み記録担体が光記録担体である場合、記録済み記録担体上には、記録可能な記録担体とは異なるピットおよびランドの特定のパターンが存在する。つまり、例えば、コピー者（例えば、コピープログラム）はこの特定のパターンをコピーすることができない。記録済み記録担体上において、物理的構造体およびデータは、ガラスマスタリング工程において刻印され（inscribed）、スタンピングによって大量に複製される。他方、記録可能な記録担体上において、物理的構造体は予め刻印され、データは、記録装置において（染料の透明度を変えることによって）ハイパワーレーザビームによって焼き付けられる。
【００５７】
また、例えば、記録済み記録担体に、コピーが防止された元のデータが記憶され、記録可能な記録担体が、コピーされたデータを有する、記録済み記録担体のコピーである場合、元のデータと、コピーされたデータとは異なる。例えば、コピーされたデータには、元のデータの暗号化特徴または暗号化パラメータは含まれない。また、例えば、コピーされたデータのファイルシステムは、元のデータのファイルシステムと相違する。
【００５８】
したがって、記録済み（元の）記録担体から、特定の元の特徴パラメータ（「キー」）が導出される。これらの元の特徴パラメータは、記録済み（元の）記録担体の物理的構造体および／または記録済み（元の）記録担体に記憶された（元の）データによって決まる。物理的構造体の元の特徴パラメータは、記録済み担体から読み出し装置、例えば、ハードディスクの光ピックアップまたは読み出しヘッドによって抽出される。すなわち、読み出し装置は、特定の方法で物理的構造体にアクセスするように制御される。
【００５９】
また、記録済み（元の）記録担体のコピーである記録可能な記録担体から、特定のコピー特徴パラメータが導出される。これらのコピー特徴パラメータは、記録可能な記録担体の物理的構造体および／または記録可能な記録担体に記憶された、コピーされたデータによって決まる。物理的構造体のコピー特徴パラメータは、記録可能な担体から、読み出し装置、例えば、ハードディスクの光ピックアップまたは読み出しヘッドによって抽出される。読み出し装置は、特定の方法で物理的構造体にアクセスするように制御される。
【００６０】
コピー特徴パラメータを記録可能な記録担体から抽出する方法が、記録済み記録担体から元の特徴パラメータを抽出するための方法と同じである場合や、コピー特徴パラメータが元の特徴パラメータから導出される場合、これは、様々な方法で用いてもよい。例えば、データがコピーから読み出されていることを検出するために用いることができる（元ディスクチェック）。また、コピー防止用の様々なアルゴリズムのためにこれらのパラメータを用いることができる。
【００６１】
上記元の特徴データおよびコピー特徴データは、「キー」、「キーマテリアル」または「キーデータ」とも称し、コピー防止用データに関して様々な方法で詳述する。図４の実施形態では、３２−３において、キーが抽出され、これらのキーは正しいプレイリストを見つけ出すためのアルゴリズム用の入力データとして用いられる。
【００６２】
図５は、インターリーブファイル領域を有するさらなる実施形態を示す。
【００６３】
本例では、第１のファイル０００００．ｍ２ｔｓは、オーディオビジュアルデータまたはオーディオデータ（元のコンテンツ）を記憶するそれぞれの論理ブロック（セクタ）を参照するエクステントＥｘｔ００、Ｅｘｔ１０、Ｅｘｔ２０、Ｅｘｔ３０、およびＥｘｔ４０を有する。
【００６４】
また、第２のファイル００００１．ｍ２ｔｓは、エクステントＥｘｔ０１、Ｅｘｔ１１、Ｅｘｔ２１、Ｅｘｔ３１、およびＥｘｔ４１を有する。エクステントＥｘｔ０１およびＥｘｔ４１はそれぞれ、第１のファイル０００００．ｍ２ｔｓに含まれるエクステントＥｘｔ００およびＥｘｔ４０と同一の論理ブロックを参照する。したがって、これらのエクステントが参照するセクタは、「共有セクタ」とも称する。
【００６５】
しかし、エクステントＥｘｔ１１、Ｅｘｔ２１、およびＥｘｔ３１は、付加的なまたは改変されたオーディオビジュアルデータまたは付加的なまたは改変されたオーディオデータ（例えば、広告等を含む偽のコンテンツ）を有する論理ブロックを参照する。
【００６６】
したがって、第２のファイル００００１．ｍ２ｔｓを使用・参照する場合、付加的なまたは改変されたオーディオビジュアルデータまたは付加的なまたは改変されたオーディオデータが再生される。
【００６７】
コピー防止のために、第１のファイルは、図４に示す正しいクリップ情報３８に含まれる。一方、第２のファイル００００１．ｍ２ｔｓは、フェイクムービープレイリスト１、……、ｉ、ｉ＋２、……、ｎに含まれたフェイククリップ情報ファイル１、……、ｉ、ｉ＋２、……、ｎのいずれかに含まれる。
【００６８】
図５の実施形態では、エクステントＥｘｔ１１は、エクステントＥｘｔ１０の改変されたコピーであり、図２Ｄに関連して上述したように、エクステントＥｘｔ１１とエクステントＥｘｔ１０のデータのフォーマットは同じである。示唆したように、これによって、コピー者（コピープログラム、ハッカー等）はエクステントＥｘｔ１１に記憶されたコンテンツが偽のコンテンツであることを容易に検出できなくなる。換言すると、コピー者は、第１のファイル０００００．ｍ２ｔｓおよび第２のファイル００００１．ｍ２ｔｓのいずれが、真のコンテンツのみを含むのか、つまり、真のコンテンツ（図５の例ではファイル０００００．ｍ２ｔｓ）（のみ）を再生することができるかを容易に認識することができない。両方のファイルのフォーマットが有効である場合、ハッカーは、手動で第１のファイル０００００．ｍ２ｔｓおよび第２のファイル００００１．ｍ２ｔｓを比較する必要があり、これには労力がかかる。
【００６９】
図５の実施形態のディスクの領域４２において、記憶されたデータのフォーマットに基づいて区別不可能なエクステントが複数存在するため、コピー防止が強化される。
【００７０】
他方、図５の実施形態では、偽のコンテンツ（エクステントＥｘｔ１１、Ｅｘｔ２１、およびＥｘｔ３１）を参照するエクステントは、常に、真のコンテンツ（エクステントＥｘｔ１０、Ｅｘｔ２０、Ｅｘｔ３０）を参照するエクステントの次に配置されているため、ハッカーがコピー防止をハッキングし易い。
【００７１】
これを鑑みて、図６の実施形態では、このような配列パターンが回避されている。
【００７２】
図６の実施形態では、エクステントＥｘｔ１１は、エクステントＥｘｔ１０の改変されたコピーであり、エクステントＥｘｔ２１は、エクステントＥｘｔ２０の改変されたコピーであり、エクステントＥｘｔ３１は、エクステントＥｘｔ３０の改変されたコピーである。
【００７３】
図５および図６の相違は、図５では、元のコンテンツを含むエクステントが常に改変されたコピーの次に配置されるという規則的な配列パターンが検出される場合がある点にある。これは、図６には当てはまらない。つまり、コピー者は、元のコンテンツを有するファイルを推測しにくくなっている。
【００７４】
図７は、多数の異なるファイルを用いる実施形態を示す。これによって、どのファイルが元のコンテンツを記憶しているかを判定するのが非常に困難になる。
【００７５】
図７の例では、ファイル００３３９．ｍ２ｔｓのみが元のコンテンツを含んでいる（ファイル００３３９．ｍ２ｔｓは、真のコンテンツのみを含むセクタ４５、４７、５３、５５および５９の領域を参照することに留意されたい）。他の全てのファイル００７１１．ｍ２ｔｓ、００１２３．ｍ２ｔｓ、００２２４．ｍ２ｔｓ、００３４１．ｍ２ｔｓ、および００２１６．ｍ２ｔｓは、偽のコンテンツを含むセクタ４９、５１、および５７の領域を参照する（偽のコンテンツを示すために図２Ｄで用いたものと同様の参照符号を用いている）。
【００７６】
図７に関して、物理的に割り当てられたデータ（セクタの領域）が複数の異なるファイルに含まれてもよいことにも留意されたい。例えば、領域４５のセクタは、エクステントＥｘｔ０７１１、Ｅｘｔ０１２３、Ｅｘｔ０２２４、Ｅｘｔ０３４１、Ｅｘｔ０３３９およびＥｘｔ０２１６に含まれ、当該エクステントはそれぞれ、ファイル００７１１．ｍ２ｔｓ、００１２３．ｍ２ｔｓ、００２２４．ｍ２ｔｓ、００３４１．ｍ２ｔｓ、０３３０．ｍ２ｔｓおよび００２１６．ｍ２ｔｓによって参照される。したがって、フェイクファイルは、物理的に割り当てられた付加的なデータ（記録担体上の領域）を必要とすることなく生成することができる。したがって、同一のセクタを参照する、データユニット、例えば、エクステントを複数有することによって、それらのコンテンツの大部分を共有する多数のファイルが存在し得る。このようにして、多数のファイルが、領域が限られているデータ担体上に配置される。この概念は、「共有コンテンツ」とも称し、本明細書全体にわたって記載される他の実施形態においてさらに詳述する。これは、記載される実施形態のいずれかと組み合わせることも可能である。したがって、図７において示すように、「不良」コンテンツを含むさらなるセクタを一切参照しない「第１のファイル」（ファイル０３３９．ｍ２ｔｓ）は、第１のデータユニット（例えば、Ｅｘｔ０３３９）を有し、さらなるセクタ（例えば、セクタ４９、５１、５７）を参照する「第２のファイル」（例えば、００７１１．ｍ２ｔｓ）は、第２のデータユニット（例えば、Ｅｘｔ０７１１）を有することができる。ここで、第１のデータユニットおよび第２のデータユニットは、少なくとも部分的に、同一のセクタを参照する（４５で示す例示的なセクタ）。
【００７７】
図８は、バイナリデータがコピー防止される場合の実施形態を示す。図８の例では、ファイル００５２７．ｂｉｎのみが元のファイルである。
【００７８】
残りのファイル００７４１．ｂｉｎ、００３３９．ｂｉｎ、および００９１６．ｂｉｎはフェイクファイルである。フェイクファイルは、例えば、エクステントに付加的なデータ（図８のファイル００７４１．ｂｉｎ参照）を付加したり、いくつかのエクステントを省略したり（図８のファイル００３３９．ｂｉｎ参照）、エクステントを並べ替えたり（図８のファイル００９１６．ｂｉｎ参照）することによって生成される。また、係る技術の任意の組合せが可能である。
【００７９】
図８の実施形態は、Ｂｌｕ−ｒａｙ  Ｄｉｓｃ（登録商標）に記憶されたコンピュータゲームのコピーを防止するために用いられる。複数のフェイクファイルのいずれかがこのコンピュータゲームにおいて使用された場合、当該ゲームを終了するようにしてもよい。また、エンターテインメント性を低下させた状態でゲームをプレイさせることも可能である。例えば、ゲームのいくつかの特徴を利用不可能にしたり、そのゲームにおいてプレイヤーが或る一定のレベルに到達できないようにしたりしてもよい。
【００８０】
図９は、例えば、図８に示すものと同様に、記録担体に記憶されるデータのコピー防止方法を示す。
【００８１】
ステップ６８において、複数のセクタに記憶するデータが用意される。
【００８２】
ステップ７０において、記録担体に記憶する第１のファイルを生成する。第１のファイルは、複数のセクタを第１の順序で参照する。ここで、ファイルを記録担体用の読み出し装置によって読み出すと、そのデータが元のバイト順に読み出される。
【００８３】
ステップ７２において、記録担体に記憶する第２のファイルを生成する。第２のファイルは、第１のファイルとは異なるファイルであり、複数のセクタの少なくとも一部を第２の順序で参照する。ここで、第２のファイルを記録担体用の読み出し装置によって読み出しても、そのデータは元のバイト順で読み出されない（例えば、ファイル００９１６．ｂｉｎは、読み出しの際、まずＥｘｔ０９１６が読み出され、次いで、エクステントＥｘｔ１９１６およびＥｘｔ２９１６が連続して読み出される）。第２のファイルは、（代替的にまたは付加的に）例えば、エクステントに付加的なデータ（図８のファイル００７４１．ｂｉｎ参照）を付加したり、いくつかのエクステントを省略したり（図８のファイル００３３９．ｂｉｎ参照）、エクステントを並べ替えたり（図８のファイル００９１６．ｂｉｎ参照）することによって生成することができ、係る技術の任意の組合せが可能である。
【００８４】
図１０は、大容量コンテンツハッシュテーブルを回避することができるさらなる実施形態を示す。
【００８５】
Ｂｌｕ−ｒａｙ  Ｄｉｓｃ（登録商標）用のＡＡＣＳ暗号化標準に従って、ハッシュテーブルに記憶されるハッシュ値が、Ｂｌｕ−ｒａｙ  Ｄｉｓｃ（登録商標）に記憶されるファイル毎に生成される。したがって、ファイル毎に生成されるハッシュ値の数は、各ファイルのサイズに伴って増加する（９６個のセクタの各ブロックに対して１つのハッシュ値が生成される）。
【００８６】
したがって、例えば、図４（フェイククリップ情報ファイル１、……、ｉ、ｉ＋２、……、ｎ参照）および図７（ファイル００７１１．ｍ２ｔｓ、００１２３．ｍ２ｔｓ、００２２４．ｍ２ｔｓ、００３４１．ｍ２ｔｓ、および００２１６．ｍ２ｔｓ参照）に示すように、多数の「フェイクファイル」を有することによって、ハッシュテーブルのサイズが増加する。また、大容量の「フェイクファイル」の場合、Ｂｌｕ−ｒａｙ  Ｄｉｓｃ（登録商標）に記憶されるハッシュテーブルの容量は増える。
【００８７】
Ｂｌｕ−ｒａｙ  Ｄｉｓｃ（登録商標）を再生する場合、再生装置によっては、ＡＡＣＳコンテンツ認証工程を実行するためにメモリにハッシュテーブル全体を読み込む。これは、ハッシュテーブルを記憶するためのメモリのサイズが小さい特定の再生装置にとって問題となり得る。しかし、全ての再生装置がこのような問題を有する訳ではなく、図１０は任意選択のものを示しているに過ぎないことに留意されたい。また、これは、全ての他の実施形態と組み合わせることができる。
【００８８】
上記問題を回避するために、図１０の実施形態では、各セクタに記憶された偽のコンテンツを参照するエクステントを有するサイズの小さなファイルのみを想定している。図１０において、係る小型のファイルは、ファイル００００２．ｍ２ｔｓおよび００００３．ｍ２ｔｓである。図４に示した実施形態の構成（framework）において、小型のファイル００００２．ｍ２ｔｓおよび００００３．ｍ２ｔｓは、フェイクムービープレイリスト１、……、ｉ、ｉ＋２、……、ｎに含まれる。さらに、他のファイル（偽のコンテンツを記憶するセクタを参照しない「さらなる第１のファイル」）、例えば、ファイル０００００．ｍ２ｔｓ、００００１．ｍ２ｔｓおよび００００４．ｍ２ｔｓのいずれかもフェイクムービープレイリストに含まれる。単一のフェイクプレイリストに、小型のファイル００００２．ｍ２ｔｓおよび００００３．ｍ２ｔｓを複数回含めることも可能である。
【００８９】
したがって、図１０の実施形態によれば、偽のコンテンツを含む小型のファイルに関してコピー防止を達成することができる。したがって、各ハッシュテーブルを記憶するのに小さいメモリしか有しない特定の再生装置において生じる上述の問題を回避することができる。
【００９０】
正しいムービープレイリスト３６は、ファイル０００００．ｍ２ｔｓ、００００１．ｍ２ｔｓおよび００００４．ｍ２ｔｓを含み、これらのファイルは、全て、それぞれのセクタに記憶された真のコンテンツのみを参照する。
【００９１】
シームレスな（スムーズな）再生を保証するためには、プレイリストが有する複数のプレイアイテムには、例えば、接続状態５または６といった、それぞれの接続状態を記す必要がある。
【００９２】
図１１Ａは、コピーが防止された記録担体７３３の製造のために画像を生成する画像生成処理部７２０を示す。画像生成処理部７２０は、ファイル抽出部７２２と、映像／音声処理部７２４と、ＪＡＲファイル処理部７２６と、ＣＭＦ（Cutting Master Format）ビルダー７２８とを備える。「ＪＡＲ」は、「Ｊａｖａ（登録商標）アーカイブ」を表し、再生中にＢｌｕ−ｒａｙプレイヤーが読み出して実行する実行可能なＪａｖａ（登録商標）バイトコードを記憶するのに用いられるフォーマットである。
【００９３】
７３０および７３２で示すように、画像生成処理部７２０は、認証装置７３０および製造装置７３２にそれぞれ接続される。
【００９４】
認証装置７３０は、認証工程を実行可能にするが、画像生成処理部７２０においてこれは実行してもしなくてもよい。同様に、例えば、ガラスマスター等を製造する等の製造工程を実行する製造装置７３２は、画像生成処理部７２０内に配置されてもよく、他の場所に配置されてもよい。
【００９５】
例えば、画像生成処理部７２０は、第１の会社の或る場所に配置してもよい。また、認証装置７３０は、第２の会社の或る場所に配置してもよい。また、製造装置７３２は、第３の会社の或る場所（または、第２の会社の当該場所）に配置してもよい。したがって、３つの異なる会社の場合、これらの３つ全ての会社は、データを交換するだけで円滑に協働して記録担体７３３を作製することができる。各会社は、他の会社から独立して営業することができる。
【００９６】
７３４に示すように、認証装置７３０は、ＣＭＦ画像を供給する。他の適したデータフォーマットを用いてもよい。なお、Ｂｌｕ−ｒａｙ  Ｄｉｓｃ（登録商標）の場合、ＣＭＦ画像が用いられる。
【００９７】
ＣＭＦ画像７３４は、ファイル抽出部７２２によって受信される。ファイル抽出部７２２は、専用のハードウェアとしてもよく、汎用データ処理部としてもよい。ファイル抽出部７２２は、ＣＭＦ画像７３４から、ＡＶストリームファイル７３６、ＪＡＲファイル７３８および他のファイル７４０を生成する。
【００９８】
ＡＶストリームファイル７３６は、元の（真の）オーディオビジュアルデータまたは元の（真の）オーディオデータを含む。
【００９９】
図示するように、ＡＶストリームファイル７３６は、ＣＭＦビルダー７２８と、映像／音声処理部７２４とに供給される。映像／音声処理部７２４は、７４２で示す、付加的なまたは改変されたＡＶストリームファイル、クリップ情報ファイルおよびプレイリストファイルを生成する。
【０１００】
換言すると、映像／音声処理部７２４は、上述の付加的なまたは改変されたオーディオビジュアルデータまたは付加的なまたは改変されたオーディオデータ（図１１Ａでは、付加的なまたは改変されたＡＶストリームファイルと称する）を生成する。
【０１０１】
（記録担体７３３の複数のさらなるセクタに記憶する）付加的なまたは改変されたＡＶストリームファイル７４２は、ＣＭＦビルダー７２８に供給される。
【０１０２】
ＪＡＲファイル処理部７２６はＪＡＲファイル７３８から、コピー防止機能性をＪＡＲファイルに付与することによって改変されたＪＡＲファイル７４４を生成する。例えば、ＪＡＲファイル処理部７２６は、例えば、図４に関連して説明したようにキー抽出工程、プレイリスト選択工程等を実行する。換言すると、改変されたＪＡＲファイル７４４によって、元の記録担体を再生したときに元の（真の）コンテンツが本来の品質でレンダリングされることが保証される。
【０１０３】
ＣＭＦビルダー７２８は、付加的なまたは改変されたＡＶストリームファイル７４２、元のＡＶストリームファイル７３６、改変されたＪＡＲファイル７４４および他のファイル７４０を受信し、新たなＣＭＦ画像７４６を生成する。当該新たなＣＭＦ画像７４６は、コピーが防止された記録担体７３３を製造するための製造装置７３２に供給される。
【０１０４】
したがって、上述したように、認証装置７３０から独立してコピー防止が追加される。これは、光記録担体を製造する場所でのコピー防止の追加と比較して、認証が複数の異なる場所または会社において頻繁に行われるため有利であり得る。無論、コピー防止の追加と、認証および製造とを完全に切り離すことも可能である。
【０１０５】
図１１Ｂは、新たな画像ファイルを生成する方法の各ステップを示す。
【０１０６】
ステップ７５０において、画像データ、例えば、図１１ＡのＣＭＦ画像７３４を受信する。
【０１０７】
ステップ７５２において、ＪＡＲファイル、ＡＶファイルおよび他のファイルを抽出する。
【０１０８】
ステップ７５４において、図１１Ａに関して説明したようにＪＡＲファイルを処理する。
【０１０９】
ステップ７５６において、図１１Ａに関して説明したようにＡＶファイルを処理する。
【０１１０】
ステップ７５８において、新しい画像ファイルを生成する。
【０１１１】
図１１Ｃは別の実施形態を示す。本実施形態では、装置７０は、コピーが防止された記録担体を製造するものである。装置７０は、ファイルシステムを有する記録担体７４の複数のセクタに記憶されるオーディオビジュアルデータまたはオーディオデータを受信する受信部７３を備える。受信部はさらに、記録担体７４の複数のセクタに記憶される付加的なまたは改変されたオーディオビジュアルデータまたは付加的なまたは改変されたオーディオデータを受信する。
【０１１２】
図１１Ｃの例示的な実施形態において、映像データはｖｅｓ１に受信され、オーディオデータはａｅｓ１に受信される。また、付加的なまたは改変された映像データはｖｅｓ２に受信され、付加的なまたは改変されたオーディオデータはａｅｓ２に受信される。
【０１１３】
装置７０は、記録担体７４に記憶されるファイルシステムの第１のファイル００００１．ｍ２ｔｓを生成するデータ処理部７６をさらに備える。当該第１のファイル００００１．ｍ２ｔｓは、複数のセクタの少なくとも一部を参照し、さらなるセクタを一切参照しない。これによって、記録担体７４用の再生装置によって第１のファイル００００１．ｍ２ｔｓがレンダリングされると、複数のセクタの一部に含まれるオーディオビジュアルデータまたはオーディオデータが再生される。
【０１１４】
データ処理部７６はさらに、記録担体７４に記憶されるファイルシステムの複数の第２のファイル００００２．ｍ２ｔｓを生成する。当該第２のファイル００００２．ｍ２ｔｓは、第１のファイル００００１．ｍ２ｔｓとは異なるファイルであり、複数のセクタの少なくとも一部と、複数のさらなるセクタの少なくとも１つとを参照する。これによって、第２のファイル００００１．ｍ２ｔｓが再生装置によってレンダリングされると、複数のセクタの一部および複数のさらなるセクタの少なくとも１つが再生される。
【０１１５】
データ処理部はさらに、（プログラムＢＤ−Ｊ／ＨＤＭＶ部７８が受信する）記録担体７４に記憶されるプログラム命令を受信する。当該プログラム命令は、再生装置によって実行されると、記録担体の特徴パラメータを抽出する。ここで、特徴パラメータに基づき、第１のファイル００００１．ｍ２ｔｓが複数の第２のファイル００００２．ｍ２ｔｓと区別される。
【０１１６】
第１のファイル００００１．ｍ２ｔｓおよび複数の第２のファイル００００２．ｍ２ｔｓ（「フェイクファイル」）を生成する場合、データ処理部７６は、８０で示すように、ｖｅｓ１に受信された映像データ、ａｅｓ１に受信されたオーディオデータ、およびプログラム命令（例えば、ＢＤ−ＪまたはＨＤＭＶ）に基づいてＭＵＸ工程を実行する。（いわゆる「認証工程」の一部である）ＭＵＸ工程後、データ処理部７６は、８２に示すように挿入工程（including process）を実行する。挿入工程において、ｖｅｓ２に受信された付加的なまたは改変された映像データと、ａｅｓ２に受信された付加的なまたは改変されたオーディオデータとを、複数の第２のファイル００００２．ｍ２ｔｓ（「フェイクファイル」）に挿入する。そして、当該複数の第２のファイル００００２．ｍ２ｔｓをディスク７４に記録する。
【０１１７】
図１１Ｃに示すように、フェイクファイルの生成・挿入は、ＭＵＸ工程後に行ってもよい。これは、認証工程後にファイルの挿入が可能であるため有利であり得る。したがって、認証工程は、本明細書全体に記載されるようなコピー防止メカニズムの実施とは切り離して行ってもよい。これは、光記録担体を製造する場所でのコピー防止の追加と比較して、認証が複数の異なる場所または会社において頻繁に行われるため有利であり得る。無論、コピー防止の追加と、認証および製造とを完全に切り離すことも可能である。
【０１１８】
図１２は、再生中に複数の異なるファイルを切り換えることによってコピー防止を達成する場合のさらなる実施形態を示す。
【０１１９】
それぞれコピーが防止された記録担体、例えば、Ｂｌｕ−ｒａｙ  Ｄｉｓｃ（登録商標）上において、オーディオビジュアルデータまたはオーディオデータと、例えば、広告等、すなわち、偽のコンテンツを含む付加的なオーディオビジュアルデータまたは付加的なオーディオデータとは、１つまたは複数のファイルに記憶される。図１２に示す実施形態では、データは、例えば、ファイル９０−１、９０−２、９０−３および９０−４に記憶される。
【０１２０】
ファイル９０−１、……、９０−４はそれぞれ、１つまたは複数の映像シーケンス９１−１、……、９１−１４を含む。
【０１２１】
ファイル９０−１、……、９０−４は、ムービープレイリスト９３に含まれるプレイアイテム９４−１、９４−２、および９４−３において参照される。プレイアイテム９４−１は、ファイル９０−１を参照する。また、プレイアイテム９４−２は、マルチアングルプレイアイテムであり、（第１のファイルとしての）ファイル９０−２および（第２のファイルとしての）ファイル９０−３を参照する。さらに、プレイアイテム９４−３は、ファイル９０−４を参照する。
【０１２２】
ファイル９０−１および９０−４は、映像クリップ９１−１、９１−２、９１−１３および９１−１４を有し、当該映像クリップ９１−１、９１−２、９１−１３および９１−１４は全て、再生時に、元の（真の）コンテンツを本来の品質でレンダリングする。
【０１２３】
他方、上述したような参照符号で示すように、ファイル９０−２に含まれる映像シーケンス９１−３、９１−７およびファイル９０−３に含まれる映像シーケンス９１−１０は、付加的なまたは改変されたオーディオビジュアルデータまたは付加的なまたは改変されたオーディオデータを有する。上述したように、係るコンテンツは、例えば、広告（音声、映像、またはその両方）、映像アーティファクト、音声アーティファクト、著作権侵害に対する警告、正規コピーの購入方法に関する情報、代替音声ストリーム等を含めることで、エンターテインメント性を低下させたものである。
【０１２４】
コピーが防止された記録担体はさらに、上述したように、キーマテリアルをディスクから抽出するＢＤ−Ｊランタイムスレッド９８を有するか、または各キーマテリアルを別のＢＤ−Ｊ構成要素から受信する。キーマテリアルは、ＢＤ−Ｊランタイムスレッド９８を制御するのに用いられる。制御命令に基づき、ＢＤ−Ｊランタイムスレッド９８は、マルチアングルプレイアイテム９４−２に含まれる２つのファイル９０−２および９０−３の切り替えを可能にする。
【０１２５】
図１２の例では、元のディスクが再生されることを想定しているため、ＢＤ−Ｊランタイムスレッド９８による再生制御は、映像シーケンス９１−３、９１−７および９１−１０の再生が回避されるようなものである。
【０１２６】
再生経路は、矢印９６−１、……、９６−８によって示す。矢印１００−１および１００−２によって示すように、再生中に、映像シーケンスのレンダリングは、映像シーケンス９１−１、９１−２、９１−８、９１−９、９１−５、９１−６、９１−１２、９１−１３および９１−１４が連続再生されるように、第１のファイル９０−２から第２のファイル９０−３へ（またはその逆に）切り換えられる。これによって、元の（真の）コンテンツが再生される。切り替えに起因して、映像シーケンス９１−３、９１−７および９１−１０は再生されない。
【０１２７】
マルチアングルプレイアイテム９４−２に含まれる第１のファイル９０−２および第２のファイル９０−３の切り替えは、ＢＤ−Ｊランタイムスレッド９８によって再生装置の各角度レジスタを設定することによって、または角度変更を行うＢＤ−Ｊ法を呼び出すことによって制御される。
【０１２８】
ＢＤ−Ｊランタイムスレッド９８は、Ｂｌｕ−ｒａｙ  Ｄｉｓｃ（登録商標）に記憶されたＢＤ−Ｊアプリケーションの一部であるソフトウェア（プログラム命令）とすることができる。これは、コピーが防止された映画の再生装置の動作が開始されたときに開始してもよい。ＢＤ−Ｊランタイムスレッド９８は、再生時間全体にわたってアクティブとすることができる。ＢＤ−Ｊランタイムスレッド９８の目的は、プレイヤースレッドを制御するというものであり得る。基本的に、ＢＤ−Ｊランタイムスレッド９８は、エンターテインメント性が意識的に低下するように改変されたＡＶストリームの位置を把握している。したがって、ＢＤ−Ｊランタイムスレッド９８は、角度を変更する必要があるとき、すなわち、マルチアングルプレイアイテム９４−２に含まれる第１のファイルおよび第２のファイルの切り替えが必要なときをプレイヤーに指示する。したがって、ＢＤ−Ｊランタイムスレッド９８は、実際の再生位置を把握している。例えば、プレイヤーに問い合わせること（ポーリング）によって、かつ／またはプレイヤーからイベントを受信することによって実際の再生位置を把握することができる。
【０１２９】
なお、図１２に示す実施形態に関して、マルチアングルプレイアイテム９４−２は、偽のコンテンツを含むファイル９０−２および９０−３等の２つ以上のファイルを有することも可能である。換言すると、この場合、マルチアングルプレイアイテム９４−２は２つ以上の角度を有する。
【０１３０】
さらに、図１２に示す実施形態に関して、このコピー防止方法は、ファイル９０−１、９０−２、９０−３、および９０−４に含まれるエクステント（図２Ｄでは、例えば、エクステントＥｘｔ００およびＥｘｔ０１等）が、ディスクの（部分的に）同一のセクタを参照する必要がある点で、図１〜図１１に示す実施形態から独立したものである。他方、図１５によって以下にさらに説明するように、組合せは依然として可能であり、有益である。
【０１３１】
図１２の実施形態は、ＢＤ−Ｊランタイムスレッドが、ディスクの正しい再生に必要とされる知識を「具える」という利点を有する。したがって、このようにすることで、偽のコンテンツのレンダリングを回避するように再生経路を制御する方法に関する情報が失われるため、コピー者が元のディスクのコピーを生成しようとする場合、当該コピー者はＢＤ−Ｊランタイムスレッド９８を容易に除去することはできない。
【０１３２】
また、デバッグツール（デバッグプレイヤー）を用いることによって容易に見つけ出せる情報が存在しない。
【０１３３】
コピー者が正しい再生経路、すなわち、適当な位置におけるマルチアングルプレイアイテムに含まれる複数の異なるファイルの再生を切り替える正しいスイッチングシーケンスを見つけ出すことができない場合、常に偽のコンテンツが再生される（これは、マルチアングルプレイアイテムに含まれる全てのファイルは、例えば、図１２に示す映像シーケンス９１−３、９１−７、および９１−１０等のそれぞれの偽のコンテンツ／映像シーケンスを含むという想定に基づく）。
【０１３４】
図１３は、図１２と同様の例を示し、ハッカーが、コピーを生成するときにＢＤ−Ｊランタイムスレッド９８を除去している場合にコピー防止がどのように作用するかを説明するものである。元のディスクのコピーを再生する場合を想定する。
【０１３５】
コピーを生成するときに、ハッカーは、図１２に示すＢＤ−Ｊランタイムスレッド９８を完全に除去しているため、プレイヤーは、図１２において９６−１、……、９６−８で示されるように再生経路を制御することができない。代わりに、図１３において１００−１、……、１００−５で示す再生経路が使用されて再生が行われる。これは、例えば、プレイヤーの角度レジスタが、マルチアングルプレイアイテム９４−２に含まれる第１のファイル（「デフォルト角度」）が常にレンダリングされるように設定されているためである。
【０１３６】
図１４は、図１２の例を再度示す。ここでは、コピーが再生される場合を想定する。しかし、この場合、図１３の例とは異なり、コピー者は、元のディスクのコピーを生成するときにＢＤ−Ｊランタイムスレッド９８を除去していない。しかし、コピーであるため、ＢＤ−Ｊランタイムスレッドによって抽出されるか、または、マルチアングルプレイアイテム９４−２に含まれる第１のファイル９０−３および第２のファイル９０−４の切り替えを制御するための別のＢＤ−Ｊ構成要素９８から受信するキーマテリアルは、元のディスクから抽出されるものと同じではない。
【０１３７】
したがって、再生経路は、図１２の再生経路とは異なる。実際には、マルチアングルプレイアイテム９４−２に含まれるファイル９０−２および９０−３の完全に任意な切り替えが起こり得る。図１４に示すように、（任意の）再生経路１０４−１、……、１０４−７が続く状態で、再生経路１０４−３および１０４−５は、映像シーケンス９１−１０および９１−７に記憶された偽のコンテンツを再生することになる。
【０１３８】
上述したように、図１２の実施形態は、図１〜図１１の実施形態から独立して実施することができる。換言すると、複数の異なるファイルに含まれるエクステントは、Ｂｌｕ−ｒａｙ  Ｄｉｓｃ（登録商標）上の（少なくとも部分的に）同一のセクタを参照する必要がない。この場合、例えば、図１２に示すファイル９０−２および９０−３はそれぞれ、ディスク上の全く異なる（非同一）セクタを参照するエクステントを有する。
【０１３９】
他方、図１２の実施形態と図１〜図１１の実施形態との組合せは、図１５によって明らかになるようにデータ担体上の記憶領域の大規模な（物理的な）割り当てが回避されるため有益であり得る。
【０１４０】
図１５は、第１のファイル０００００．ｍ２ｔｓおよび第２のファイル００００１．ｍ２ｔｓを示す。
【０１４１】
第１のファイル０００００．ｍ２ｔｓは、エクステントＥｘｔ００、Ｅｘｔ１０、Ｅｘｔ２０、Ｅｘｔ３０、およびＥｘｔ４０の第１のセットを有する。第２のファイル００００１．ｍ２ｔｓは、エクステントＥｘｔ０１、Ｅｘｔ１１、Ｅｘｔ２１、Ｅｘｔ３０、およびＥｘｔ４１を有するエクステントの第２のセットを有する。
【０１４２】
図１５の例では、エクステントＥｘｔ１１およびＥｘｔ３０は、付加的なまたは改変されたコンテンツ（偽のコンテンツ）を含むセクタ（「さらなるセクタ」）を参照すると想定する。
【０１４３】
コピー防止の設計に応じて、Ｅｘｔ１１は、Ｅｘｔ１０が参照するセクタの改変されたコピーであるセクタ（「さらなるセクタ」）を参照することができる。同様に、エクステントＥｘｔ３０が参照するセクタは、エクステントＥｘｔ３１が参照するセクタの改変されたコピーであり得る（上記「改変されたコピー」の説明参照）。
【０１４４】
図１５の第１のファイル０００００．ｍ２ｔｓは、図１２の第１のファイル９０−２に相当し、図１５の第２のファイル００００１．ｍ２ｔｓは、図１２の第２のファイル９０−３に相当する。
【０１４５】
したがって、図１〜図１１によって説明した概念を図１２の概念と組み合わせた場合、図１２のマルチアングルプレイアイテム９４−２等のマルチアングルプレイアイテムに挿入される、Ｂｌｕ−ｒａｙ  Ｄｉｓｃ（登録商標）上の複数のファイルを生成する場合、各データを当該ディスク上に物理的に割り当てる必要がないという利点が得られる。これは、ディスク上のセクタに物理的に記憶されたデータが、２つ以上のファイルによって参照されるためである。なお、例えば、第１のファイル０００００．ｍ２ｔｓおよび第２のファイル００００１．ｍ２ｔｓにそれぞれ含まれるエクステントＥｘｔ００およびＥｘｔ０１は、同一のセクタを参照する。
【０１４６】
参照符号１１０−１、１１０−２、１１０−３、１１０−４、１１０−５、および１１０−６は、元のディスクに記憶されたコンテンツのレンダリング時の再生装置の読み出しヘッドの動きを示す。再生は、ＢＤ−Ｊランタイムスレッド９８’によって制御される。再生工程の始めにおいて、第１のファイル００００．ｍ２ｔｓがレンダリングされ、ここで、エクステントＥｘｔ００、Ｅｘｔ１０およびＥｘｔ２０が参照するセクタに記憶されたデータが（部分的にのみ）レンダリングされる。エクステントＥｘｔ１０およびＥｘｔ２０は、隣接し合う参照用セクタでないため、読み出しヘッドは、１１０−２で示すようにジャンプする（例えば、図２Ｄも参照）。
【０１４７】
ステップ１１１において、ＢＤ−Ｊランタイムスレッド９８’は、第１のファイル０００００．ｍ２ｔｓから第２のファイル００００１．ｍ２ｔｓへ再生を切り換える。上述したように、第１のファイル０００００．ｍ２ｔｓおよび第２のファイル００００１．ｍ２ｔｓは、例えば、図１２のマルチアングルプレイアイテム９４−２等のマルチアングルプレイアイテムに含まれると想定すると、これは例えば角度レジスタを変更することによって行われる。
【０１４８】
再生を第１のファイル０００００．ｍ２ｔｓから第２のファイル００００１．ｍ２ｔｓへ変更した後、１１０−４、１１０−５、１１０−６で示すように、第２のファイル００００１．ｍ２ｔｓのレンダリングが続行される。なお、ここでも、１１０−５のジャンプによって、第１のファイルに含まれるエクステントＥｘｔ３０が参照するセクタのレンダリングが回避される。それぞれのセクタは、第２のファイル００００１．ｍ２ｔｓに含まれるエクステントの第２のセットに含まれるエクステントによって参照されない。
【０１４９】
図１６は、図１５で説明した概念を図１０の実施形態と組み合わせた場合のさらなる実施形態を示す。
【０１５０】
図１０と同様に、例えば、真のコンテンツを記憶するセクタを参照するファイル００００２．ｍ２ｔｓ等の付加的なファイルが生成される。図１０に関連して説明したように、これらは、図４に示すようなプレイリストに含まれる。
【０１５１】
図１７Ａは、例えば、３Ｄ  Ｂｌｕ−ｒａｙ  Ｄｉｓｃ（登録商標）の場合の２つのファイル０００００．ｓｓｉｆおよび０００００．ｍ２ｔｓを示す。図１７Ａでは、Ｂ［０］およびＢ［１］は、左目用映像（ベースビュー）を含むセクタに相当する。また、Ｄ［０］およびＤ［１］は、右眼用映像（ディペンデントビュー）を含むセクタを示す。
【０１５２】
ファイル０００００．ｍ２ｔｓは、エクステントＥｘｔ００ｍ２ｔｓおよびＥｘｔ１０ｍ２ｔｓを介してセクタＢ［０］およびＢ［１］のみを参照する。したがって、ファイル０００００．ｍ２ｔｓは、左眼用データ（ベースビュー）のみをカバーする。３Ｄ  Ｂｌｕ−ｒａｙ  Ｄｉｓｃ（登録商標）は２Ｄ  Ｂｌｕ−ｒａｙ（登録商標）プレイヤーによってレンダリングされ、ファイル０００００．ｍ２ｔｓのデータのみがレンダリングされる。
【０１５３】
他方、ファイル０００００．ｓｓｉｆは、エクステントＥｘｔ００ｓｓｉｆを介して全てのセクタＢ［０］、Ｄ［０］、Ｂ［１］およびＤ［１］を参照する。
【０１５４】
図１７Ｂに示す実施形態によれば、図１７Ａを参照して説明したような３Ｄ標準に従うさらなるファイルは、コピーが防止されたディスクに含まれる。
【０１５５】
図１７Ｂでは、ファイル００００１．ｓｓｉｆおよび対応するファイル００００１．ｍ２ｔｓが係るさらなるファイルである。
【０１５６】
図示するように、ファイル００００１．ｓｓｉｆは、エクステントＥｘｔ０１ｓｓｉｆおよびＥｘｔ１１ｓｓｉｆを介してセクタＢ［０］、Ｄ［０］、Ｂ［２］、Ｄ［２］、Ｂ［３］およびＤ［３］を参照する。また、ファイル００００１．ｍ２ｔｓは、エクステントＥｘｔ０１ｍ２ｔｓ、Ｅｘｔ１１ｍ２ｔｓおよびＥｘｔ２１ｍ２ｔｓを介してセクタＢ［０］、Ｂ［２］およびＢ［３］を参照する。
【０１５７】
上記で用いたのと同じ参照符号で示すように、図１７Ｂの例では、セクタＢ［２］およびＤ［２］が偽のコンテンツを含むと想定する。したがって、ファイル００００１．ｍ２ｔｓおよび００００１．ｓｓｉｆのいずれかがレンダリングされると、偽のコンテンツが再生される。元のコンテンツをレンダリングする場合、ファイル０００００．ｍ２ｔｓおよび対応のファイル０００００．ｓｓｉｆをレンダリングする必要がある．
【０１５８】
したがって、３Ｄ  Ｂｌｕ−ｒａｙ  Ｄｉｓｃ（登録商標）のコピー防止は、それぞれのフェイクムービープレイリストによって参照される、図４に示すようなそれぞれのフェイクＡＶクリップファイル（フェイクファイル）およびフェイククリップ情報ファイルを生成することによって達成される。
【０１５９】
正しいムービープレイリストを検出する場合のみ、元の（真の）３Ｄコンテンツは本来の品質でレンダリングされる。
【０１６０】
なお、偽のコンテンツを含むセクタＢ［２］およびＤ［２］は、他のセクタの「改変されたコピー」（上記参照）としてもよい。例えば、図１７Ｂでは、セクタＢ［２］は、セクタＢ［１］の改変されたコピーに相当し得る。また、セクタＤ［２］は、Ｄ［１］のセクタの改変されたコピーであり得る。
【０１６１】
なお、本発明は、以下のような構成（１）〜（２０）を採ることもできる。
【０１６２】
（１）ファイルシステムを有する記録担体の複数のセクタに記憶されるオーディオビジュアルデータまたはオーディオデータを用意し、
前記記録担体の複数のさらなるセクタに記憶される付加的なまたは改変されたオーディオビジュアルデータまたは付加的なまたは改変されたオーディオデータを用意し、
前記複数のセクタの少なくとも一部を参照するが前記さらなるセクタを参照しない、前記記録担体に記憶される前記ファイルシステムの第１のファイルを、当該第１のファイルが前記記録担体用の再生装置によってレンダリングされると、前記複数のセクタの前記少なくとも一部に含まれる前記オーディオビジュアルデータまたは前記オーディオデータが再生されるように生成し、
前記第１のファイルとは異なるファイルであり、前記複数のセクタの少なくとも一部および前記複数のさらなるセクタの少なくとも一部を参照する、前記記録担体に記憶される前記ファイルシステムの第２のファイルを、当該第２のファイルが前記再生装置によって再生されると、前記複数のセクタの前記少なくとも一部および前記複数のさらなるセクタの前記少なくとも一部が再生されるように生成する
コピー防止方法。
【０１６３】
（２）前記（１）に記載のコピー防止方法であって、
前記第１のファイルおよび前記第２のファイルとは異なるファイルであり、前記複数のセクタのそれぞれの少なくとも一部および前記複数のさらなるセクタのそれぞれの少なくとも一部を参照する、複数のさらなる第２のファイルを、当該複数のさらなる第２のファイルがそれぞれ前記再生装置によってレンダリングされると、前記複数のセクタのそれぞれの前記少なくとも一部および前記複数のさらなるセクタのそれぞれの前記少なくとも一部が再生されるように生成するステップをさらに含む
コピー防止方法。
【０１６４】
（３）前記（２）に記載のコピー防止方法であって、
前記第１のファイルを前記第２のファイルおよび前記複数のさらなる第２のファイルから区別するために、前記再生装置によって実行されると前記記録担体の特徴パラメータを抽出する、当該記録担体に記憶されるプログラム命令を判定するステップをさらに含み、
コピー防止方法。
【０１６５】
（４）前記（１）〜（３）のいずれか一項に記載のコピー防止方法であって、
前記付加的なまたは改変されたオーディオビジュアルデータまたは前記付加的なまたは改変されたオーディオデータは、広告、映像アーティファクト、音声アーティファクト、著作権情報、販売情報および代替音声ストリームのいずれか１つを含む
コピー防止方法。
【０１６６】
（５）前記（１）〜（４）のいずれか一項に記載のコピー防止方法であって、
前記第１のファイルは、第１のデータユニットを有し、
前記第２のファイルは、第２のデータユニットを有し、
前記第１のデータユニットおよび前記第２のデータユニットは、少なくとも部分的に同一のセクタを参照する
コピー防止方法。
【０１６７】
（６）前記（１）〜（５）のいずれか一項に記載のコピー防止方法であって、
前記第１のファイルは、前記複数のセクタの少なくとも一部を参照するデータユニットの第１のセットを有し、
前記第２のファイルは、前記複数のさらなるセクタの一部を参照するデータユニットの第２のセットを有し、
前記第２のセットの少なくとも１つのデータユニットは、前記第１のセットの１つのデータユニットの改変されたコピーであり、
前記改変されたコピーは、前記１つのデータユニットの改変されたオーディオビジュアルデータまたは改変されたオーディオデータを有し、
前記改変されたオーディオビジュアルデータまたは改変されたオーディオデータのフォーマットは、前記１つのデータユニットの前記オーディオビジュアルデータまたは前記オーディオデータのフォーマットの仕様に準拠する
コピー防止方法。
【０１６８】
（７）前記（６）に記載のコピー防止方法であって、
前記記録担体は、Ｂｌｕ−ｒａｙ  Ｄｉｓｃ（登録商標）であり、
前記ファイルシステムは、ＵＤＦ（Universal Disk Format）ファイルシステムであり、
前記第１のファイルおよび前記第２のファイルはＵＤＦファイルであり、
前記データユニットはエクステントである
コピー防止方法。
【０１６９】
（８）前記（１）〜（７）のいずれか一項に記載のコピー防止方法であって、
前記複数のセクタの一部を参照するが前記さらなるセクタを参照しない、前記ファイルシステムの複数のさらなる第１のファイルを生成するステップと、
前記第１のファイルおよび前記さらなる第１のファイルを有するプレイリストを、当該プレイリストが再生のために前記再生装置によって用いられるときに、前記オーディオビジュアルデータまたは前記オーディオデータが本来の品質で再生されるように生成するステップと、
前記第２のファイルまたは前記複数のさらなる第２のファイルの少なくとも１つを有する少なくとも１つのさらなるプレイリストを、前記再生装置が当該少なくとも１つのさらなるプレイリストを用いて再生を行うときに、前記付加的なまたは改変されたオーディオビジュアルデータまたは前記付加的なまたは改変されたオーディオデータの少なくとも１つが再生されるように生成するステップと
をさらに含む
コピー防止方法。
【０１７０】
（９）前記（８）に記載のコピー防止方法であって、
前記プレイリストを前記少なくとも１つのさらなるプレイリストから区別するために、前記再生装置によって実行されると前記記録担体の特徴パラメータを抽出する、当該記録担体に記憶されるプログラム命令を判定するステップ
をさらに含む
コピー防止方法。
【０１７１】
（１０）前記（１）に記載のコピー防止方法であって、
前記記録担体は、３Ｄコンテンツを記憶するＢｌｕ−ｒａｙ  Ｄｉｓｃ（登録商標）であり、
前記第２のファイルは、左眼および右眼用のさらなるセクタを参照する
コピー防止方法。
【０１７２】
（１１）コピーが防止された記録担体に記憶されたコンテンツを再生する、コンテンツ再生方法であって、
前記記録担体は、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの複数の第２のファイルであって、前記再生装置によって再生されると、前記複数のセクタの前記少なくとも一部および前記複数のさらなるセクタの前記少なくとも一部が再生される、複数の第２のファイルと、
前記第１のファイルを前記複数の第２のファイルから区別するために、前記再生装置によって実行されると当該記録担体の特徴パラメータを抽出するプログラム命令と
を有し、当該コンテンツ再生方法は、
前記プログラム命令を実行し、前記記録担体がオリジナルであるかまたはコピーであるかに応じて、前記オーディオビジュアルデータまたは前記オーディオデータおよび／または前記付加的なまたは改変されたオーディオビジュアルデータまたは前記付加的なまたは改変されたオーディオデータをレンダリングする
コンテンツ再生方法。
【０１７３】
（１２）コピーが防止された記録担体に記憶されたコンテンツを再生する、コンテンツ再生装置であって、
前記記録担体は、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの複数の第２のファイルであって、前記再生装置によって再生されると、前記複数のセクタの前記少なくとも一部および前記複数のさらなるセクタの前記少なくとも一部が再生される、複数の第２のファイルと、
前記第１のファイルを前記複数の第２のファイルから区別するために、前記再生装置によって実行されると当該記録担体の特徴パラメータを抽出するプログラム命令と
を有し、当該コンテンツ再生装置は、
前記プログラム命令を実行し、前記記録担体がオリジナルであるかまたはコピーであるかに応じて、前記オーディオビジュアルデータまたは前記オーディオデータおよび／または前記付加的なまたは改変されたオーディオビジュアルデータまたは前記付加的なまたは改変されたオーディオデータをレンダリングするレンダリング部
を具備する
コンテンツ再生装置。
【０１７４】
（１３）コピーが防止された記録担体を製造するために画像を生成する、画像生成装置であって、
ファイルシステムを有する前記記録担体の複数のセクタに記憶されるオーディオビジュアルデータまたはオーディオデータと、前記記録担体の複数のさらなるセクタに記憶される付加的なまたは改変されたオーディオビジュアルデータまたは付加的なまたは改変されたオーディオデータとを受信する受信部と、
前記複数のセクタの少なくとも一部を参照するが前記さらなるセクタを参照しない、前記記録担体に記憶される前記ファイルシステムの第１のファイルを、当該第１のファイルが前記記録担体用の再生装置によってレンダリングされると、前記複数のセクタの前記少なくとも一部に含まれる前記オーディオビジュアルデータまたは前記オーディオデータが再生されるように生成し、前記第１のファイルとは異なるファイルであり、前記複数のセクタの少なくとも一部および前記複数のさらなるセクタの少なくとも一部を参照する、前記記録担体に記憶される前記ファイルシステムの複数の第２のファイルを、当該複数の第２のファイルが前記再生装置によって再生されると、前記複数のセクタの前記少なくとも一部および前記複数のさらなるセクタの前記少なくとも一部が再生されるように生成し、前記第１のファイルを前記複数の第２のファイルから区別するために、前記再生装置によって実行されると前記記録担体の特徴パラメータを抽出する、当該記録担体に記憶されるプログラム命令を受信または生成するデータ処理部と
を具備する
画像生成装置。
【０１７５】
（１４）記録担体であって、
ファイルシステムを有する当該記録担体の複数のセクタに記憶されたオーディオビジュアルデータまたはオーディオデータと、
当該記録担体の複数のさらなるセクタに記憶された付加的なまたは改変されたオーディオビジュアルデータまたは付加的なまたは改変されたオーディオデータと、
前記複数のセクタの少なくとも一部を参照するが前記さらなるセクタを参照しない、前記ファイルシステムの第１のファイルであって、当該記録担体用の再生装置によってレンダリングされると、前記複数のセクタの前記少なくとも一部に含まれる前記オーディオビジュアルデータまたは前記オーディオデータが再生される、第１のファイルと、
前記第１のファイルとは異なるファイルであり、前記複数のセクタの少なくとも一部および前記複数のさらなるセクタの少なくとも一部を参照する、前記ファイルシステムの第２のファイルであって、前記再生装置によって再生されると、前記複数のセクタの前記少なくとも一部および前記複数のさらなるセクタの前記少なくとも一部が再生される、第２のファイルと
を具備する
記録担体。
【０１７６】
（１５）前記（１４）に記載の記録担体であって、
前記第１のファイルおよび前記第２のファイルとは異なるファイルであり、前記複数のセクタの少なくとも一部および前記複数のさらなるセクタの少なくとも一部をそれぞれ参照する、複数のさらなる第２のファイルであって、それぞれが前記再生装置によってレンダリングされると、前記複数のセクタの前記少なくとも一部および前記複数のさらなるセクタの前記少なくとも一部が再生される、複数のさらなる第２のファイル
をさらに具備する
記録担体。
【０１７７】
（１６）前記（１５）に記載の記録担体であって、
前記第１のファイルを前記第２のファイルおよび前記複数のさらなる第２のファイルから区別するために、前記再生装置によって実行されると当該記録担体の特徴パラメータを抽出する、当該記録担体に記憶されるプログラム命令
をさらに具備する
記録担体。
【０１７８】
（１７）元のバイト順序を有する、ファイルシステムの記録担体の複数のセクタに記憶されるデータを用意し、
前記複数のセクタを第１の順序で参照する、前記記録担体に記憶される、前記ファイルシステムの第１のファイルを生成し、
前記記録担体に記憶される、前記第１のファイルとは異なるファイルであり、前記複数のセクタの少なくとも一部を第２の順序で参照する、前記ファイルシステムの第２のファイルを生成し、
前記データは、前記第１のファイルが前記記録担体用の読み出し装置によって読み出される場合、前記元のバイト順序で読み出されるが、前記第２のファイルが前記記録担体用の前記読み出し装置によって読み出される場合、前記元のバイト順序では読み出されない
コピー防止方法。
【０１７９】
（１８）前記（１７）に記載のコピー防止方法であって、
前記記録担体のさらなるセクタに記憶される付加的なデータを用意するステップ
をさらに含み、
前記第２のファイルは、前記読み出し装置が当該第２のファイルを読み出すときに当該読み出し装置によって前記さらなるセクタが読み出されるように、当該さらなるセクタを参照する
コピー防止方法。
【０１８０】
（１９）記録担体であって、
元のバイト順序を有する、ファイルシステムを有する当該記録担体の複数のセクタに記憶されたデータと、
前記複数のセクタを第１の順序で参照する、前記ファイルシステムの第１のファイルと、
前記第１のファイルとは異なるファイルであり、前記複数のセクタの少なくとも一部を第２の順序で参照する、前記ファイルシステムの第２のファイルと
を有し、
前記データは、前記第１のファイルが当該記録担体用の読み出し装置によって読み出される場合、前記元のバイト順序で読み出されるが、前記第２のファイルが当該記録担体用の前記読み出し装置によって読み出される場合、前記元のバイト順序では読み出されない
記録担体。
【０１８１】
（２０）コピーが防止された記録担体を製造する、記録担体製造装置であって、
元のバイト順序を有する、ファイルシステムを有する前記記録担体の複数のセクタに記憶されるデータを受信する受信部と、
前記複数のセクタを第１の順序で参照する、前記記録担体に記憶される、前記ファイルシステムの第１のファイルと、当該第１のファイルとは異なるファイルであり、前記複数のセクタの少なくとも一部を第２の順序で参照する、前記記録担体に記憶される、前記ファイルシステムの第２のファイルとを生成するデータ処理部と
を具備し、
前記データは、前記第１のファイルが前記記録担体用の読み出し装置によって読み出される場合、前記元のバイト順序で読み出されるが、前記第２のファイルが前記記録担体用の前記読み出し装置によって読み出される場合、前記元のバイト順序では読み出されない
記録担体製造装置。
【０１８２】
本発明はさらに、以下のような構成（１）〜（１１）を採ることもできる。
【０１８３】
（１）ファイルシステムを有する記録担体の複数のセクタに記憶されるオーディオビジュアルデータまたはオーディオデータを用意し、
前記記録担体の複数のさらなるセクタに記憶される付加的なオーディオビジュアルデータまたは付加的なオーディオデータを用意し、
前記複数のセクタの第１の部分および前記複数のさらなるセクタのさらなる第１の部分を参照する、前記記録担体に記憶される前記ファイルシステムの第１のファイルを、当該第１のファイルが前記記録担体用の再生装置によって完全にレンダリングされると、前記オーディオビジュアルデータまたは前記オーディオデータの各前記第１の部分および前記付加的なオーディオビジュアルデータまたは前記付加的なオーディオデータの各前記さらなる第１の部分が再生されるように生成し、
前記複数のセクタの第２の部分および前記複数のさらなるセクタのさらなる第２の部分を参照する、前記記録担体に記憶される前記ファイルシステムの第２のファイルを、当該第２のファイルが前記記録担体用の再生装置によって完全にレンダリングされると、前記オーディオビジュアルデータまたは前記オーディオデータの各前記第２の部分および前記付加的なオーディオビジュアルデータまたは前記付加的なオーディオデータの各前記さらなる第２の部分が再生されるように生成し、
前記再生装置によって実行されると、当該再生装置を制御して前記第１のファイルの読み出しと、前記第２のファイルの読み出しとを切り換えさせる、前記記録担体に記憶されるプログラム命令を判定する、コピー防止方法であって、
前記記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
コピー防止方法。
【０１８４】
（２）前記（１）に記載のコピー防止方法であって、
前記プログラム命令は、前記再生装置によって実行されると、前記記録担体の特徴パラメータを抽出し、
前記切り替えは、前記特徴パラメータに応じて変わる
コピー防止方法。
【０１８５】
（３）前記（１）または（２）に記載のコピー防止方法であって、
前記複数のセクタの各付加的な部分および前記複数のさらなるセクタの各さらなる付加的な部分を参照する、前記記録担体に記憶される前記ファイルシステムの少なくとも１つの付加的なファイルを、当該少なくとも１つの付加的なファイルが前記記録担体用の再生装置によってレンダリングされると、前記オーディオビジュアルデータまたは前記オーディオデータの各前記付加的な部分および前記付加的なオーディオビジュアルデータまたは前記付加的なオーディオデータの各前記さらなる付加的な部分が再生されるように生成し、
前記記録担体に記憶される前記プログラム命令は、前記再生装置によって実行されると、当該再生装置を制御して前記第１のファイルの読み出しと、前記第２のファイルの読み出しと、前記少なくとも１つの付加的なファイルの読み出しとを切り換え、
前記記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
コピー防止方法。
（４）前記（１）または（２）に記載のコピー防止方法であって、
前記記録担体は、Ｂｌｕ−ｒａｙ  Ｄｉｓｃ（登録商標）であり、
前記ファイルシステムは、ＵＤＦ（Universal Disk Format）ファイルシステムであり、
前記第１のファイルおよび前記第２のファイルは、マルチアングルプレイアイテムに含まれ、
前記切り替えは、角度レジスタの設定を変更することによって、または前記再生装置の角度変更方法を呼び出すことによって達成される
コピー防止方法。
【０１８６】
（５）前記（４）に記載のコピー防止方法であって、
前記第１のファイルは、エクステントの第１のセットを有し、
前記第２のファイルは、エクステントの第２のセットを有し、
前記第１のセットに含まれる少なくとも１つのエクステントは、前記複数のセクタのうちの１つのセクタを参照し、
前記第２のセットに含まれる少なくとも１つのエクステントは、前記１つのセクタを参照する
コピー防止方法。
【０１８７】
（６）記録担体であって、
ファイルシステムを有する当該記録担体の、オーディオビジュアルデータまたはオーディオデータを記憶する複数のセクタと、
付加的なオーディオビジュアルデータまたは付加的なオーディオデータを記憶する複数のさらなるセクタと、
前記複数のセクタの第１の部分および前記複数のさらなるセクタのさらなる第１の部分を参照する、前記ファイルシステムの第１のファイルであって、当該記録担体用の再生装置によって完全にレンダリングされると、前記オーディオビジュアルデータまたは前記オーディオデータの各前記第１の部分および前記付加的なオーディオビジュアルデータまたは前記付加的なオーディオデータの各前記さらなる第１の部分が再生される、第１のファイルと、
前記複数のセクタの第２の部分および前記複数のさらなるセクタのさらなる第２の部分を参照する、前記ファイルシステムの第２のファイルであって、当該記録担体用の再生装置によって完全にレンダリングされると、前記オーディオビジュアルデータまたは前記オーディオデータの各前記第２の部分および前記付加的なオーディオビジュアルデータまたは前記付加的なオーディオデータの各前記さらなる第２の部分が再生される、第２のファイルと、
前記再生装置によって実行されると、当該再生装置を制御して前記第１のファイルの読み出しと、前記第２のファイルの読み出しとを切り換えさせる、プログラム命令と
を具備する、記録担体であって、
当該記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
記録担体。
【０１８８】
（７）コピーが防止された記録担体に記憶されたコンテンツを再生する、コンテンツ再生方法であって、
前記記録担体は、
ファイルシステムを有する当該記録担体の、オーディオビジュアルデータまたはオーディオデータを記憶する複数のセクタと、
付加的なオーディオビジュアルデータまたは付加的なオーディオデータを記憶する複数のさらなるセクタと、
前記複数のセクタの第１の部分および前記複数のさらなるセクタのさらなる第１の部分を参照する、前記ファイルシステムの第１のファイルであって、当該記録担体用の再生装置によって完全にレンダリングされると、前記オーディオビジュアルデータまたは前記オーディオデータの各前記第１の部分および前記付加的なオーディオビジュアルデータまたは前記付加的なオーディオデータの各前記さらなる第１の部分が再生される、第１のファイルと、
前記複数のセクタの第２の部分および前記複数のさらなるセクタのさらなる第２の部分を参照する、前記ファイルシステムの第２のファイルであって、当該記録担体用の再生装置によって完全にレンダリングされると、前記オーディオビジュアルデータまたは前記オーディオデータの各前記第２の部分および前記付加的なオーディオビジュアルデータまたは前記付加的なオーディオデータの各前記さらなる第２の部分が再生される、第２のファイルと、
前記再生装置によって実行されると、当該再生装置を制御して前記第１のファイルの読み出しと、前記第２のファイルの読み出しとを切り換えさせる、プログラム命令と
を有し、
前記記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
コンテンツ再生方法。
【０１８９】
（８）コピーが防止された記録担体に記憶されたコンテンツを再生する、コンテンツ再生装置であって、
前記記録担体は、
ファイルシステムを有する当該記録担体の、オーディオビジュアルデータまたはオーディオデータを記憶する複数のセクタと、
付加的なオーディオビジュアルデータまたは付加的なオーディオデータを記憶する複数のさらなるセクタと、
前記複数のセクタの第１の部分および前記複数のさらなるセクタのさらなる第１の部分を参照する、前記ファイルシステムの第１のファイルであって、当該記録担体用の再生装置によって完全にレンダリングされると、前記オーディオビジュアルデータまたは前記オーディオデータの各前記第１の部分および前記付加的なオーディオビジュアルデータまたは前記付加的なオーディオデータの各前記さらなる第１の部分が再生される、第１のファイルと、
前記複数のセクタの第２の部分および前記複数のさらなるセクタのさらなる第２の部分を参照する、前記ファイルシステムの第２のファイルであって、当該記録担体用の再生装置によって完全にレンダリングされると、前記オーディオビジュアルデータまたは前記オーディオデータの各前記第２の部分および前記付加的なオーディオビジュアルデータまたは前記付加的なオーディオデータの各前記さらなる第２の部分が再生される、第２のファイルと、
前記再生装置によって実行されると、当該再生装置を制御して前記第１のファイルの読み出しと、前記第２のファイルの読み出しとを切り換えさせる、プログラム命令と
を有し、
前記記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
コンテンツ再生装置。
【０１９０】
（９）コピーが防止された記録担体を製造する、記録担体製造装置であって、
ファイルシステムを有する前記記録担体の複数のセクタに記憶されるオーディオビジュアルデータまたはオーディオデータと、前記記録担体の複数のさらなるセクタに記憶される付加的なオーディオビジュアルデータまたは付加的なオーディオデータとを受信する受信部と、
前記複数のセクタの第１の部分および前記複数のさらなるセクタのさらなる第１の部分を参照する、前記記録担体に記憶される前記ファイルシステムの第１のファイルを、当該第１のファイルが前記記録担体用の再生装置によって完全にレンダリングされると、前記オーディオビジュアルデータまたは前記オーディオデータの各前記第１の部分および前記付加的なオーディオビジュアルデータまたは前記付加的なオーディオデータの各前記さらなる第１の部分が再生されるように生成し、前記複数のセクタの第２の部分および前記複数のさらなるセクタのさらなる第２の部分を参照する、前記記録担体に記憶される前記ファイルシステムの第２のファイルを、当該第２のファイルが前記記録担体用の再生装置によって完全にレンダリングされると、前記オーディオビジュアルデータまたは前記オーディオデータの各前記第２の部分および前記付加的なオーディオビジュアルデータまたは前記付加的なオーディオデータの各前記さらなる第２の部分が再生されるように生成するデータ処理部と
を具備する
記録担体製造装置。
【０１９１】
（１０）前記（９）に記載の記録担体製造装置であって、
前記受信部は、前記再生装置によって実行されると、当該再生装置を制御して前記第１のファイルの読み出しと、前記第２のファイルの読み出しとを切り換えさせる、プログラム命令を受信し、
前記記録担体がオリジナルである場合、前記切り替えは、前記付加的なオーディオビジュアルデータまたは前記付加的なオーディオデータがいずれも再生されないように前記さらなるセクタが読み出されずに前記複数のセクタのみが読み出されるように制御される
記録担体製造装置。
【０１９２】
（１１）前記（９）または（１０）に記載の記録担体製造装置であって、
前記セクタおよび前記さらなるセクタ、前記第１のファイルおよび前記第２のファイル、ならびに前記プログラム命令を記録担体に記憶する再生部
をさらに具備する
記録担体製造装置。
【図１】
2012216272.tif 000003
【図２Ａ】
2012216272.tif 000004
【図２Ｂ】
2012216272.tif 000005
【図２Ｃ】
2012216272.tif 000006
【図２Ｄ】
2012216272.tif 000007
【図３】
2012216272.tif 000008
【図４】
2012216272.tif 000009
【図５】
2012216272.tif 000010
【図６】
2012216272.tif 000011
【図７】
2012216272.tif 000012
【図８】
2012216272.tif 000013
【図９】
2012216272.tif 000014
【図１０】
2012216272.tif 000015
【図１１Ａ】
2012216272.tif 000016
【図１１Ｂ】
2012216272.tif 000017
【図１１Ｃ】
2012216272.tif 000018
【図１２】
2012216272.tif 000019
【図１３】
2012216272.tif 000020
【図１４】
2012216272.tif 000021
【図１５】
2012216272.tif 000022
【図１６】
2012216272.tif 000023
【図１７Ａ】
2012216272.tif 000024
【図１７Ｂ】
2012216272.tif 000025
【外国語明細書】
2012216272000001.pdf